(57)【特許請求の範囲】
【請求項１】
アンライセンス搬送波の競争方法であって、
ライセンス補助アクセス（ＬＡＡ）装置は、クリアチャネル評価（ＣＣＡ）の検出をまず実行し、チャネルがアイドルであると検出された後、前記ＬＡＡ装置は継続して、
Ｎが０より大きい場合、ＬＡＡ装置がＮの値を逓減し、Ｎ＝Ｎ−１を実行するＳ１と、
前記ＬＡＡ装置が、ＣＣＡの検出を実行し、チャネルがアイドルであると検出された場合、Ｓ３を実行し、チャネルがアイドルであると検出されたものでない場合、Ｓ４を実行するＳ２と、
Ｎの値が０に等しい場合、前記ＬＡＡ装置が、アンライセンス搬送波を用いてデータ伝送を行い、Ｎの値が０より大きい場合、Ｓ１を実行するＳ３と、
前記ＬＡＡ装置が、ＣＣＡの検出を実行して、チャネルを検出するＳ４と、
チャネルがアイドルであると検出された場合、前記ＬＡＡ装置がＳ１を実行し、又は前記ＬＡＡ装置がＳ３を実行し、チャネルがアイドルであると検出されたものでない場合、前記ＬＡＡ装置がＳ４を実行するＳ５と、
の方式で実行することを含み、前記Ｎは非負の整数であり、
前記Ｓ２において前記ＬＡＡ装置がＣＣＡの検出を実行することは、進化型クリアチャネル評価（ｅＣＣＡ）内の一回のＣＣＡ検出であり、
前記Ｓ４において前記ＬＡＡ装置がＣＣＡの検出を継続して実行することは、前記ＬＡＡ装置がＣＣＡの検出をまず実行することと同様であり、いずれも初期ＣＣＡ検出であることを特徴とする、
アンライセンス搬送波の競争方法。
【請求項２】
前記Ｓ１の前に、
前記ＬＡＡ装置は、ランダム的にランダムバックオフのＮの値を生成すること、
をさらに含むことを特徴とする、請求項１に記載のアンライセンス搬送波の競争方法。
【請求項３】
前記ＣＣＡの検出は、初期ＣＣＡ検出、進化型クリアチャネル評価（ｅＣＣＡ）のうちの一つを含むことを特徴とする、
請求項１に記載のアンライセンス搬送波の競争方法。
【請求項４】
アンライセンス搬送波の競争装置であって、ライセンス補助アクセス（ＬＡＡ）装置側に適用し、第１検出モジュール、第１判定モジュール、伝送モジュール、第１処理モジュール、第２検出モジュール、および第１トリガーモジュールを含み、
前記第１検出モジュールは、クリアチャネル評価（ＣＣＡ）の検出をまず実行するように構成され、チャネルがアイドルであると検出された後、前記アンライセンス搬送波の競争装置は、以下の各モジュールによって実行されるように構成され、
前記第１判定モジュールは、前記ＬＡＡ装置がＮの値を判定し、Ｎが０より大きい場合、ＬＡＡ装置はＮの値を逓減し、Ｎ＝Ｎ−１を実行するように構成され、前記Ｎは非負の整数であり、
前記第１処理モジュールは、ＣＣＡの検出を実行し、チャネルがアイドルであると検出された場合、前記伝送モジュールによって操作を実行し、チャネルがアイドルであると検出されたものでない場合、前記第２検出モジュールによって操作を実行するように構成され、
前記伝送モジュールは、前記ＬＡＡ装置がＮの値を判定し、Ｎの値が０に等しい場合、前記ＬＡＡ装置がアンライセンス搬送波を用いてデータ伝送を行い、Ｎの値が０より大きい場合、前記第１検出モジュールによって実行するように構成され、
前記第２検出モジュールは、前記ＬＡＡ装置が、ＣＣＡの検出を実行してチャネルを検出するように構成され、
前記第１トリガーモジュールは、チャネルがアイドルであると検出された場合、前記第１検出モジュールが実行されるようにトリガーし、又は前記第１処理モジュールが実行されるようにトリガーし、チャネルがアイドルであると検出されたものでない場合、前記第２検出モジュールが実行されるようにトリガーするように構成され、
前記第１処理モジュールがＣＣＡの検出を継続して実行することは、進化型クリアチャネル評価（ｅＣＣＡ）内の一回のＣＣＡ検出であり、
前記第２検出モジュールがＣＣＡの検出を継続して実行することは、初期ＣＣＡ検出であり、
前記第１検出モジュールがＣＣＡの検出を実行することは、初期ＣＣＡ検出であることを特徴とする、
アンライセンス搬送波の競争装置。
【請求項５】
クリアチャネル評価（ＣＣＡ）の検出を実行する前に、ランダム的にＮの値を生成するように構成される第１生成モジュールをさらに含むことを特徴とする、
請求項４に記載のアンライセンス搬送波の競争装置。
【請求項６】
前記ＣＣＡの検出は、初期ＣＣＡ検出、進化型クリアチャネル評価（ｅＣＣＡ）のうちの一つを含むことを特徴とする、
請求項４に記載のアンライセンス搬送波の競争装置。
【請求項７】
アンライセンス搬送波の競争方法であって、
ライセンス補助アクセス（ＬＡＡ）装置は、クリアチャネル評価（ＣＣＡ）の検出をまず実行し、チャネルがアイドルであると検出された後、前記ＬＡＡ装置は継続して、
前記ＬＡＡ装置がＳ４を実行するＳ１と、
Ｎが０より大きい場合、ＬＡＡ装置がＮの値を逓減し、Ｎ＝Ｎ−１を実行するＳ２と、
前記ＬＡＡ装置が、ＣＣＡの検出を実行し、チャネルがアイドルであると検出された場合、Ｓ４を実行し、チャネルがアイドルであると検出されたものでない場合、Ｓ５を実行するＳ３と、
Ｎの値が０に等しい場合、前記ＬＡＡ装置がアンライセンス搬送波を用いてデータ伝送を行い、Ｎの値が０より大きい場合、Ｓ２を実行するＳ４と、
前記ＬＡＡ装置が、ＣＣＡの検出を実行してチャネルを検出するＳ５と、
チャネルがアイドルであると検出された場合、前記ＬＡＡ装置がＳ２を実行し、又は前記ＬＡＡ装置がＳ４を実行し、チャネルがアイドルであると検出されたものでない場合、前記ＬＡＡ装置がＳ５を実行するＳ６と、
の方式で実行することを含み、前記Ｎは非負の整数であり、
前記Ｓ３において前記ＬＡＡ装置がＣＣＡの検出を実行することは、進化型クリアチャネル評価（ｅＣＣＡ）内の一回のＣＣＡ検出であり、
前記Ｓ５において前記ＬＡＡ装置がＣＣＡの検出を継続して実行することは、前記ＬＡＡ装置がＣＣＡの検出をまず実行することと同様であり、いずれも初期ＣＣＡ検出であることを特徴とする、
アンライセンス搬送波の競争方法。
【請求項８】
前記Ｓ１の前に、
前記ＬＡＡ装置は、ランダム的にランダムバックオフのＮの値を生成することをさらに含むことを特徴とする、
請求項７に記載のアンライセンス搬送波の競争方法。
【請求項９】
前記ＣＣＡの検出は、初期ＣＣＡ検出、進化型クリアチャネル評価（ｅＣＣＡ）のうちの一つを含むことを特徴とする、
請求項７に記載のアンライセンス搬送波の競争方法。
【請求項１０】
アンライセンス搬送波の競争装置であって、ライセンス補助アクセス（ＬＡＡ）装置側に適用し、第３検出モジュール、第２トリガーモジュール、第２判定モジュール、第２処理モジュール、第４検出モジュール、および第３トリガーモジュールを含み、
前記第３検出モジュールは、クリアチャネル評価（ＣＣＡ）の検出をまず実行するように構成され、チャネルがアイドルであると検出された後、前記アンライセンス搬送波の競争装置は、以下の各モジュールによって実行されるように構成され、
前記第２トリガーモジュールは、第２処理モジュールが操作を実行するようにトリガーするように構成され、
前記第２判定モジュールは、Ｎの値を判定し、Ｎが０より大きい場合、Ｎの値を逓減し、Ｎ＝Ｎ−１を実行するように構成され、前記Ｎは非負の整数であり、
前記第３検出モジュールは、ＣＣＡの検出を実行し、チャネルがアイドルであると検出された場合、前記第２処理モジュールが操作を実行するようにトリガーし、チャネルがアイドルであると検出されたものでない場合、第４検出モジュールが操作を実行するようにトリガーするように構成され、
前記第２処理モジュールは、Ｎの値が０に等しい場合、アンライセンス搬送波を用いてデータ伝送を行い、Ｎの値が０より大きい場合、第２判定モジュールが操作を実行するようにトリガーするように構成され、
前記第４検出モジュールは、ＣＣＡの検出を実行してチャネルを検出するように構成され、
前記第３トリガーモジュールは、チャネルがアイドルであると検出された場合、第２トリガーモジュールが操作を実行するようにトリガーし、又は前記第２処理モジュールが操作を実行するようにトリガーし、チャネルがアイドルであると検出されたものでない場合、前記第４検出モジュールが操作を実行するようにトリガーするように構成され、
前記第３検出モジュールがＣＣＡの検出を実行することは、進化型クリアチャネル評価（ｅＣＣＡ）内の一回のＣＣＡ検出であり、
前記第４検出モジュールがＣＣＡの検出を継続して実行することは、前記第３検出モジュールがＣＣＡの検出をまず実行することと同様であり、いずれも初期ＣＣＡ検出であることを特徴とする、
アンライセンス搬送波の競争装置。
【請求項１１】
前記第２トリガーモジュールが操作を実行する前に、
ランダム的にランダムバックオフのＮの値を生成するように構成される第２生成モジュールをさらに含むことを特徴とする、
請求項１０に記載のアンライセンス搬送波の競争装置。
【発明の詳細な説明】
【技術分野】
【０００１】
本発明は通信分野に関し、特にアンライセンス搬送波の競争方法及び装置に関する。
【背景技術】
【０００２】
現在、長期進化型（ＬＴＥ：Ｌｏｎｇ  Ｔｅｒｍ  Ｅｖｏｌｕｔｉｏｎ）の通信ネットワークは、すべてライセンス搬送波に配置されて運営しており、ＬＴＥの発展に伴い、幾つかの会社は、「ＬＴＥをアンライセンス搬送波に配置する課題を研究しようという提案」を取り上げ、例えば、米国のクアルコム社は、データサービスの高速成長に伴い、近い将来に、ライセンス搬送波が急速なサービス成長によってもたらされている巨大なデータ量に耐えることができなくなると、判定している。アンライセンス搬送波にＬＴＥを配置することによって、ライセンス搬送波のデータ通信量を分担し、サービス増加に起因するデータ量の圧力を解消することが可能であることを考慮に入れている。同時に、アンライセンス搬送波は、以下の特徴を備えている。一面において、アンライセンス搬送波が無料で入手可能であり、又は搬送波リソースがゼロコストであり、そのためアンライセンス搬送波は無料、又は低コストである。他面において、個人、企業に関わらず、みんな配置に関与することが可能であり、メーカーの設備も可能であるため、アンライセンス搬送波のアクセス許可に要求が低い。さらに、アンライセンス搬送波は共有性を備え、複数の異なるシステムがすべてその中で運営する場合、又は同一システムの異なるキャリアがその中で運営する場合、搬送波の効率を高めるために、いくつかのリソース共有の方式を考えることができる。
【０００３】
上述のように、ＬＴＥの配置はアンライセンス搬送波に利点があることが明らかであるが、配置において依然とした問題がある。例えば、無線アクセス技術が多く（異なる通信規格に跨り、協働が困難であり、通信ネットワークトポロジーが多様である）、及び無線アクセスステーションが多い（ユーザ数が多く、協働の難度が大きく、集中型の管理でオーバーヘッドが大きい）。無線アクセス技術が多いため、アンライセンス搬送波において様々な無線システムがあることができ、互いに調和し難く、干渉は深刻である。そのため、ＬＴＥをアンライセンス搬送波に配置することに対して、アンライセンス搬送波をサポートする管理制御はまだ必要であり、多くの国は、アンライセンス搬送波にシステムを配置する際に、ＬＢＴ（ｌｉｓｔｅｎ  ｂｅｆｏｒｅ  ｔａｌｋ)メカニズムをサポートするように必須条件としている。ＬＢＴメカニズムによって、隣接システムの間で同時にアンライセンス搬送波を使用して、互いの干渉を引き起こすことを避けることができる。また競争バックオフメカニズムをさらに導入し、即ち隣接システムサイト（通常、同一システムにおける隣接伝送ノードである）は、競争バックオフメカニズムによって、同一システムにおける隣接伝送ノードが同時にアンライセンス搬送波を使用することに起因する干渉を避けることができる。
【０００４】
現在、ＬＴＥにおいて、ＬＴＥをアンライセンス搬送波（即ちライセンス補助アクセス（ＬＡＡ：Ｌｉｃｅｎｓｅｄ  Ａｓｓｉｓｔｅｄ  Ａｃｃｅｓｓ）システム）に配置することが研究されており、その中の多くの会社は、ＬＡＡシステム下りにおいて競争バックオフに基づくメカニズムを採用して、アンライセンス搬送波に対する使用権の競争占用を実現すると認識している。但し、現在適切なＬＡＡシステムがまだ確定されておらず、特に無線ローカルネットワーク（ＷＬＡＮ：Ｗｉｒｅｌｅｓｓ  Ｌｏｃａｌ  Ａｒｅａ  Ｎｅｔｗｏｒｋ）システムの競争メカニズムとの相対的な公平性を考慮した後である。関連技術において、適切なＬＡＡシステムの競争バックオフメカニズムとプロセスはまだ設計されていなかった。
【０００５】
関連技術においてＬＡＡシステムに適した競争バックオフメカニズムとプロセスが提供されていないという問題に対処する有効な解決案は提案されていない。
【発明の概要】
【０００６】
本発明の実施例の主な目的は、少なくとも関連技術においてＬＡＡシステムに適した競争バックオフメカニズムとプロセスが提供されていないという課題を解決することができる、アンライセンス搬送波の競争方法及び装置を提供することにある。
【０００７】
本発明の実施例における一面において、アンライセンス搬送波の競争方法を提供し、前記方法は、
ライセンス補助アクセス（ＬＡＡ）装置は、クリアチャネル評価（ＣＣＡ：Ｃｌｅａｒ  Ｃｈａｎｎｅｌ  Ａｓｓｅｓｓｍｅｎｔ）、又は進化型クリアチャネル評価(ｅＣＣＡ：ｅｖｏｌｕｔｉｏｎ  Ｃｌｅａｒ  Ｃｈａｎｎｅｌ  Ａｓｓｅｓｓｍｅｎｔ)を実行することと、
評価結果がアイドル（ｉｄｌｅ）である場合、前記ＬＡＡ装置は、Ｎに対して逓減演算（ｄｅｃｒｅｍｅｎｔ  ｏｐｅｒａｔｉｏｎ）を行い、逓減後のＮが０より大きいか否かを判定することと、
判定結果が逓減後のＮが０に等しいということを示した場合、前記ＬＡＡ装置はアンライセンス搬送波を用いてデータ伝送を行うことと、
を含み、ここで、前記Ｎは自然数である。
【０００８】
選択肢として、前記方法は、評価結果がビジーである場合、前記評価結果がアイドルになるまで、前記ＬＡＡ装置は、前記ＣＣＡ又は前記ｅＣＣＡを繰り返して実行することをさらに含む。
【０００９】
選択肢として、前記方法は、判定結果が逓減後のＮが０より大きいということを示した場合、逓減演算後のＮが０より大きくなくなるまで、前記ＬＡＡ装置は、前記ＣＣＡ又は前記ｅＣＣＡを繰り返して実行することをさらに含む。
【００１０】
選択肢として、前記ＬＡＡ装置は、Ｎに対して逓減演算を行うことは、前記ＬＡＡ装置は、ローカルの前記Ｎに対して第１指定数値の逓減を行うことを含み、ここで、前記第１指定数値は、前記ＬＡＡ装置が伝送する必要のあるデータの優先順位に従って、動的に調整される。
【００１１】
選択肢として、ライセンス補助アクセス（ＬＡＡ）装置が、クリアチャネル評価（ＣＣＡ）又は進化型クリアチャネル評価（ｅＣＣＡ）を行う前に、前記方法は、前記ＬＡＡ装置は前記Ｎを取得することをさらに含む。
【００１２】
選択肢として、前記ＬＡＡ装置が前記ＣＣＡ又は前記ｅＣＣＡを繰り返して実行する前に、前記方法は、前記ＬＡＡ装置はＮ’を取得し、前記Ｎ’の値を前記Ｎに与えることをさらに含み、ここで、前記Ｎ’は、前記ＬＡＡ装置の現時点のＮより小さい自然数である。
【００１３】
選択肢として、前記Ｎの最小値が指定正整数である場合、前記方法は、
前記ＬＡＡ装置が取得した前記Ｎが前記最小値である場合、又は前記ＬＡＡ装置が前記Ｎを逓減演算して得られた値が前記最小値になった後に、前記ＬＡＡ装置は前記最小値回数の前記ＣＣＡ又は前記ｅＣＣＡを連続して実行することと、
前記最小値回数の前記ＣＣＡ又は前記ｅＣＣＡの評価結果がすべてアイドルである場合、前記ＬＡＡ装置はアンライセンス搬送波を用いてデータ伝送を行うことと、
をさらに含み、ここで、前記指定正整数は、３４ｕｓを一回あたりの前記ＣＣＡ時間の長さ又は一回あたりの前記ｅＣＣＡ時間の長さで割って得られた数値を中心とする予め設定されている範囲から取った値である。
【００１４】
選択肢として、前記方法は、前記最小値回数の前記ＣＣＡ又は前記ｅＣＣＡの評価結果にビジーが現れた場合、前記最小値回数の前記ＣＣＡ又は前記ｅＣＣＡの評価結果がすべてアイドルになるまで、前記ＬＡＡ装置は、前記最小値回数の前記ＣＣＡ又は前記ｅＣＣＡを継続して実行することをさらに含む。
【００１５】
本発明の実施例における別の一面に基づいて、アンライセンス搬送波の競争方法を提供し、前記方法は、
ライセンス補助アクセス（ＬＡＡ）装置は、クリアチャネル評価（ＣＣＡ）又は進化型クリアチャネル評価（ｅＣＣＡ）を実行することと、
評価結果がアイドルである場合、前記ＬＡＡ装置はＭが０より大きいか否かを判定することと、
判定結果が前記Ｍが０に等しいということを示した場合、前記ＬＡＡ装置はアンライセンス搬送波を用いてデータ伝送を行うことと、
を含み、ここで、前記Ｍが自然数である。
【００１６】
選択肢として、前記方法は、評価結果がビジーである場合、前記評価結果がアイドルになるまで、前記ＬＡＡ装置は、前記ＣＣＡ又は前記ｅＣＣＡを繰り返して実行することを含む。
【００１７】
選択肢として、前記方法は、判定結果が前記Ｍが０より大きいということを示した場合、逓減演算後のＭが０より大きくなくなるまで、前記ＬＡＡ装置は前記Ｍに対して逓減演算を行い、前記ＣＣＡ又は前記ｅＣＣＡを繰り返して実行することをさらに含む。
【００１８】
選択肢として、前記ＬＡＡ装置は前記Ｍに対して逓減演算を行うことは、前記ＬＡＡ装置は、ローカルの前記Ｍに対して第２指定数値の逓減を行うこと、を含み、ここで、前記第２指定数値は前記ＬＡＡ装置が伝送する必要のあるデータの優先順位に従って、動的に調整される。
【００１９】
選択肢として、ライセンス補助アクセス（ＬＡＡ）装置は、クリアチャネル評価（ＣＣＡ）又は進化型クリアチャネル評価（ｅＣＣＡ）を実行する前に、前記方法は、前記ＬＡＡ装置はＭを取得することをさらに含む。
【００２０】
選択肢として、前記ＬＡＡ装置が前記ＣＣＡ又は前記ｅＣＣＡを改めて実行する前に、前記方法は、前記ＬＡＡ装置はＭ’を取得して、前記Ｍ’の値を前記Ｍに与えることをさらに含み、ここで、前記Ｍ’は前記ＬＡＡ装置の現時点のＭより小さい自然数である。
【００２１】
選択肢として、前記Ｎの最小値が指定正整数である場合、前記方法は、
前記ＬＡＡ装置が取得した前記Ｎが前記最小値である場合、又は前記ＬＡＡ装置が前記Ｎを逓減演算して得られた値が前記最小値になった後に、前記ＬＡＡ装置は前記最小値回数の前記ＣＣＡ又は前記ｅＣＣＡを連続して実行することと、
前記最小値回数の前記ＣＣＡ又は前記ｅＣＣＡの評価結果がすべてアイドルである場合、前記ＬＡＡ装置はアンライセンス搬送波を用いてデータ伝送を行うことと、
を含み、ここで、前記指定正整数は、３４ｕｓを一回あたりの前記ＣＣＡ時間の長さ又は一回あたりの前記ｅＣＣＡ時間の長さで割って得られた数値を中心とする予め設定されている範囲から取った値である。
【００２２】
選択肢として、前記方法は、前記最小値回数の前記ＣＣＡ又は前記ｅＣＣＡの評価結果にビジーが現れた場合、前記最小値回数の前記ＣＣＡ又は前記ｅＣＣＡの評価結果がすべてアイドルになるまで、前記ＬＡＡ装置は、前記最小値回数の前記ＣＣＡ又は前記ｅＣＣＡを継続して実行することをさらに含む。
【００２３】
本発明のさらなる一面に基づいて、アンライセンス搬送波の競争方法を提供し、前記方法は、
ライセンス補助アクセス（ＬＡＡ）装置は初期のクリアチャネル評価（ＣＣＡ）を実行することと、
評価結果がビジーである場合、前記ＬＡＡ装置はＬが０より大きいか否かを判定することと、
判定結果が前記Ｌが０に等しいということを示す場合、前記ＬＡＡ装置はアンライセンス搬送波を用いてデータ伝送を行うことと、
を含み、ここで、前記Ｌは自然数である。
【００２４】
選択肢として、前記方法は、評価結果がアイドルである場合、前記ＬＡＡ装置はアンライセンス搬送波を用いてデータ伝送を行うことをさらに含む。
【００２５】
選択肢として、前記方法は、判定結果が前記Ｌが０より大きいということを示す場合、前記ＬＡＡ装置は、進化型クリアチャネル評価（ｅＣＣＡ）内の一回のＣＣＡを実行することをさらに含む。
【００２６】
選択肢として、前記方法は、評価結果がアイドルである場合、前記ＬＡＡ装置は、前記Ｌに対して逓減演算を行い、逓減後のＬが０より大きいか否かを継続して判定することと、
評価結果がビジーである場合、前記ＬＡＡ装置は、前記初期のＣＣＡを継続して実行することと、
をさらに含む。
【００２７】
選択肢として、前記ＬＡＡ装置は、前記Ｌに対して逓減演算を行うことは、前記ＬＡＡ装置は、ローカルの前記Ｌに対して第３指定数値の逓減を行うことを含み、ここで、前記第３指定数値は前記ＬＡＡ装置が伝送する必要のあるデータの優先順位に従って、動的に調整される。
【００２８】
選択肢として、ライセンス補助アクセス（ＬＡＡ）装置がクリアチャネル評価（ＣＣＡ）を実行する前に、前記方法は、前記ＬＡＡ装置は前記Ｌを取得することをさらに含む。
【００２９】
選択肢として、前記ＬＡＡ装置が前記ｅＣＣＡ内の一回のＣＣＡを実行し、又は前記初期のＣＣＡを継続して実行する前に、前記方法は、前記ＬＡＡ装置はＬ’を取得し、前記Ｌ’の値を前記Ｌに与えることをさらに含み、ここで、前記Ｌ’は前記ＬＡＡ装置の現時点のＬより小さい自然数である。
【００３０】
選択肢として、初期の前記ＣＣＡの時間の長さは３４ｕｓ又は４０ｕｓである。
【００３１】
本発明の実施例におけるさらなる一面に基づいて、アンライセンス搬送波の競争方法を提供し、前記方法は、
ライセンス補助アクセス（ＬＡＡ）装置は初期のクリアチャネル評価（ＣＣＡ）を実行することと、
評価結果がアイドルである場合、前記ＬＡＡ装置は、Ｋから予め設定されている数値を引いた結果値に対して判定を行い、前記結果値が０より大きいか否かを判定することと、
判定結果が前記結果値が０に等しいということを示した場合、前記ＬＡＡ装置はアンライセンス搬送波を用いてデータ伝送を行うことと、
を含み、ここで、前記Ｋは自然数である。
【００３２】
選択肢として、前記方法は、判定結果が前記結果値が０より大きいということを示した場合、前記ＬＡＡ装置は、進化型クリアチャネル評価（ｅＣＣＡ）内の一回のＣＣＡを継続して実行することをさらに含む。
【００３３】
選択肢として、前記方法は、評価結果がビジーである場合、前記ＬＡＡ装置は、前記Ｋが０より大きいか否かを判定することと、
判定結果が前記Ｋが０に等しいということを示した場合、前記ＬＡＡ装置はアンライセンス搬送波を用いてデータ伝送を行うことと、
判定結果が前記Ｋが０より大きいということを示した場合、前記ＬＡＡ装置はｅＣＣＡ内の一回のＣＣＡを継続して実行することと、
をさらに含む。
【００３４】
選択肢として、前記方法は、評価結果がアイドルである場合、前記ＬＡＡ装置は前記Ｋに対して逓減演算を行い、逓減後のＫが０より大きいか否かを継続して判定することと、
評価結果がビジーである場合、前記ＬＡＡ装置は前記ＣＣＡを継続して実行し、又は、前記ＬＡＡ装置は前記ｅＣＣＡ内の次回のＣＣＡを継続して実行することと、
をさらに含む。
【００３５】
選択肢として、前記ＬＡＡ装置は前記Ｋに対して逓減演算を行うことは、前記ＬＡＡ装置はローカルの前記Ｋに対して第４指定数値の逓減を行うことを含み、ここで、前記第４指定数値は前記ＬＡＡ装置が伝送する必要のあるデータの優先順位に従って、動的に調整される。
【００３６】
選択肢として、ライセンス補助アクセス（ＬＡＡ）装置がクリアチャネル評価（ＣＣＡ）を実行する前に、前記方法は、前記ＬＡＡ装置は前記Ｋを取得することをさらに含む。
【００３７】
選択肢として、前記ＬＡＡ装置が前記ｅＣＣＡ内の一回のＣＣＡを実行し、又は前記初期のＣＣＡを継続して実行する前に、前記方法は、前記ＬＡＡ装置はＫ’を取得し、前記Ｋ’の値を前記Ｋに与えることをさらに含み、ここで、前記Ｋ’は前記ＬＡＡ装置の現時点のＫより小さい自然数である。
【００３８】
選択肢として、初期の前記ＣＣＡの時間の長さは３４ｕｓ又は４０ｕｓである。
【００３９】
選択肢として、前記予め設定されている数値は、初期の前記ＣＣＡ時間の長さを一回あたりの前記ｅＣＣＡ時間の長さで割って得られた数値を中心とする予め設定されている範囲から取った値である。
【００４０】
本発明の実施例におけるさらなる一面に基づいて、アンライセンス搬送波の競争装置を提供し、前記装置は、ライセンス補助アクセス（ＬＡＡ）装置側に位置し、
クリアチャネル評価（ＣＣＡ）又は進化型クリアチャネル評価（ｅＣＣＡ）を実行するように構成される第１実行モジュールと、
評価結果がアイドルである場合、Ｎに対して逓減演算を行い、逓減後のＮが０より大きいか否かを判定するように構成される第１逓減モジュールと、
判定結果が逓減後のＮが０に等しいということを示した場合、アンライセンス搬送波を用いてデータ伝送を行うように構成される第１伝送モジュールと、
を含み、ここで、前記Ｎは自然数である。
【００４１】
選択肢として、前記装置は、評価結果がビジーである場合、前記評価結果がアイドルになるまで、前記ＣＣＡ又は前記ｅＣＣＡを繰り返して実行するように構成される第２実行モジュールをさらに含む。
【００４２】
選択肢として、前記装置は、判定結果が逓減後のＮが０より大きいということを示した場合、逓減演算後のＮが０より大きくなくなるまで、前記ＣＣＡ又は前記ｅＣＣＡを繰り返して実行するように構成される第３実行モジュールをさらに含む。
【００４３】
選択肢として、前記第１逓減モジュールは、ローカルの前記Ｎに対して第１指定数値の逓減を行うようにさらに構成され、ここで、前記第１指定数値は前記ＬＡＡ装置が伝送する必要のあるデータの優先順位に従って、動的に調整される。
【００４４】
選択肢として、ライセンス補助アクセス（ＬＡＡ）装置は、クリアチャネル評価（ＣＣＡ）又は進化型クリアチャネル評価（ｅＣＣＡ）を実行する前に、前記装置は、前記Ｎを取得するように構成される第１取得モジュールをさらに含む。
【００４５】
選択肢として、前記ＬＡＡ装置が前記ＣＣＡ又は前記ｅＣＣＡを改めて実行する前に、前記装置は、Ｎ’を取得し、前記Ｎ’の値を前記Ｎに与えるように構成される第２取得モジュールをさらに含み、ここで、前記Ｎ’は、前記ＬＡＡ装置の現時点のＮより小さい自然数である。
【００４６】
選択肢として、前記Ｎの最小値が指定正整数である場合、前記装置は、
前記ＬＡＡ装置が取得した前記Ｎが前記最小値である場合、又は前記ＬＡＡ装置が前記Ｎを逓減演算して得られた値が前記最小値になった後に、前記最小値回数の前記ＣＣＡ又は前記ｅＣＣＡを連続して実行するように構成される第４実行モジュールと、
前記最小値回数の前記ＣＣＡ又は前記ｅＣＣＡの評価結果がすべてアイドルである場合、アンライセンス搬送波を用いてデータ伝送を行うように構成される第２伝送モジュールと、
をさらに含み、ここで、前記指定正整数は、３４ｕｓを一回あたりの前記ＣＣＡ時間の長さ又は一回あたりの前記ｅＣＣＡ時間の長さで割って得られた数値を中心とする予め設定されている範囲から取った値である。
【００４７】
選択肢として、前記装置は、前記最小値回数の前記ＣＣＡ又は前記ｅＣＣＡの評価結果にビジーが現れた場合、前記最小値回数の前記ＣＣＡ又は前記ｅＣＣＡの評価結果がすべてアイドルになるまで、前記最小値回数の前記ＣＣＡ又は前記ｅＣＣＡを継続して実行するように構成される第５実行モジュールをさらに含む。
【００４８】
本発明の実施例のもう一面に基づいて、アンライセンス搬送波の競争装置を提供し、前記装置は、ライセンス補助アクセス（ＬＡＡ）装置側に位置し、
クリアチャネル評価（ＣＣＡ）又は進化型クリアチャネル評価（ｅＣＣＡ）を実行するように構成される第６実行モジュールと、
評価結果がアイドルである場合、Ｍが０より大きいか否かを判定するように構成される第１判定モジュールと、
判定結果が前記Ｍが０に等しいということを示した場合、アンライセンス搬送波を用いてデータ伝送を行うように構成される第３伝送モジュールと、
を含み、ここで、前記Ｍが自然数である。
【００４９】
選択肢として、前記装置は、評価結果がビジーである場合、前記評価結果がアイドルになるまで、前記ＣＣＡ又は前記ｅＣＣＡを繰り返して実行するように構成される第７実行モジュールをさらに含む。
【００５０】
選択肢として、前記装置は、判定結果が前記Ｍが０より大きいということを示した場合、逓減演算後のＭが０より大きくなくなるまで、前記Ｍに対して逓減演算を行い、前記ＣＣＡ又は前記ｅＣＣＡを繰り返して実行するように第２逓減モジュールをさらに含む。
【００５１】
選択肢として、前記第２逓減モジュールはさらに、ローカルの前記Ｍに対して第２指定数値の逓減を行うように構成され、ここで、前記第２指定数値は前記ＬＡＡ装置が伝送する必要のあるデータの優先順位に従って、動的に調整される。
【００５２】
選択肢として、ライセンス補助アクセス（ＬＡＡ）装置は、クリアチャネル評価（ＣＣＡ）又は進化型クリアチャネル評価（ｅＣＣＡ）を実行する前に、前記装置は、前記Ｍを取得するように構成される第３取得モジュールをさらに含む。
【００５３】
選択肢として、前記ＬＡＡ装置が前記ＣＣＡ又は前記ｅＣＣＡを改めて実行する前に、前記装置は、Ｍ’を取得し、前記Ｍ’の値を前記Ｍに与えるように構成される第４取得モジュールをさらに含み、ここで、前記Ｍ’は前記ＬＡＡ装置の現時点のＭより小さい自然数である。
【００５４】
選択肢として、前記Ｎの最小値が指定正整数である場合、前記装置は、
前記ＬＡＡ装置が取得した前記Ｎが前記最小値である場合、又は前記ＬＡＡ装置が前記Ｎを逓減演算して得られた値が前記最小値になった後に、前記最小値回数の前記ＣＣＡ又は前記ｅＣＣＡを連続して実行するように構成される第８実行モジュールと、
前記最小値回数の前記ＣＣＡ又は前記ｅＣＣＡの評価結果がすべてアイドルである場合、アンライセンス搬送波を用いてデータ伝送を行うように構成される第４伝送モジュールと、
をさらに含み、ここで、前記指定正整数は、３４ｕｓを一回あたりの前記ＣＣＡ時間の長さ又は一回あたりの前記ｅＣＣＡ時間の長さで割って得られた数値を中心とする予め設定されている範囲から取った値である。
【００５５】
選択肢として、前記装置は、前記最小値回数の前記ＣＣＡ又は前記ｅＣＣＡの評価結果にビジーが現れた場合、前記最小値回数の前記ＣＣＡ又は前記ｅＣＣＡの評価結果がすべてアイドルになるまで、前記最小値回数の前記ＣＣＡ又は前記ｅＣＣＡを継続して実行するように構成される第９実行モジュールをさらに含む。
【００５６】
本発明の実施例におけるさらなる一面に基づいて、アンライセンス搬送波の競争装置を提供し、前記装置は、ライセンス補助アクセス（ＬＡＡ）装置側に位置し、
初期のクリアチャネル評価（ＣＣＡ）を実行するように構成される第１０実行モジュールと、
評価結果がビジーである場合、Ｌが０より大きいか否かを判定するように構成される第２判定モジュールと、
判定結果が前記Ｌが０に等しいということを示す場合、前記ＬＡＡ装置はアンライセンス搬送波を用いてデータ伝送を行うように構成される第５伝送モジュールと、
を含み、ここで、前記Ｌは自然数である。
【００５７】
選択肢として、前記装置は、評価結果がアイドルである場合、アンライセンス搬送波を用いてデータ伝送を行うように構成される第６伝送モジュールをさらに含む。
【００５８】
選択肢として、前記装置は、判定結果が前記Ｌが０より大きいということを示す場合、進化型クリアチャネル評価（ｅＣＣＡ）内の一回のＣＣＡを実行するように構成される第１１実行モジュールをさらに含む。
【００５９】
選択肢として、前記装置は、
評価結果がアイドルである場合、前記Ｌに対して逓減演算を行い、逓減後のＬが０より大きいか否かを継続して判定するように構成される第３逓減モジュールと、
評価結果がビジーである場合、前記初期のＣＣＡを継続して実行するように構成される第１２実行モジュールと、
をさらに含む。
【００６０】
選択肢として、前記第３逓減モジュールは、ローカルの前記Ｌに対して第３指定数値の逓減を行うようにさらに構成され、ここで、前記第３指定数値は前記ＬＡＡ装置が伝送する必要のあるデータの優先順位に従って、動的に調整される。
【００６１】
選択肢として、ライセンス補助アクセス（ＬＡＡ）装置がクリアチャネル評価（ＣＣＡ）を実行する前に、前記装置は、前記Ｌを取得するように構成される第５取得モジュールをさらに含む。
【００６２】
選択肢として、前記ＬＡＡ装置が前記ｅＣＣＡ内の一回のＣＣＡを実行し、又は前記初期のＣＣＡを継続して実行する前に、前記装置は、Ｌ’を取得し、前記Ｌ’の値を前記Ｌに与えるように構成される第６取得モジュールをさらに含み、ここで、前記Ｌ’は前記ＬＡＡ装置の現時点のＬより小さい自然数である。
【００６３】
選択肢として、初期の前記ＣＣＡの時間の長さは３４ｕｓ又は４０ｕｓである。
【００６４】
本発明の実施例におけるさらなる一面に基づいて、アンライセンス搬送波の競争装置を提供し、前記装置は、ライセンス補助アクセス（ＬＡＡ）装置側に位置し、
初期のクリアチャネル評価（ＣＣＡ）を実行するように構成される第１３実行モジュールと、
評価結果がアイドルである場合、前記ＬＡＡ装置は、Ｋから予め設定されている数値を引いた結果値に対して判定を行い、前記結果値が０より大きいか否かを判定するように構成される第３判定モジュールと、
判定結果が前記結果値が０に等しいということを示した場合、アンライセンス搬送波を用いてデータ伝送を行うように構成される第７伝送モジュールと、
を含み、ここで、前記Ｋは自然数である。
【００６５】
選択肢として、前記装置は、判定結果が前記結果値が０より大きいということを示した場合、進化型クリアチャネル評価（ｅＣＣＡ）内の一回のＣＣＡを継続して実行するように構成される第１４実行モジュールをさらに含む。
【００６６】
選択肢として、前記装置は、評価結果がビジーである場合、前記Ｋが０より大きいか否かを判定するように構成される第４判定モジュールをさらに含む。
【００６７】
選択肢として、前記装置は、
判定結果が前記Ｋが０に等しいということを示した場合、アンライセンス搬送波を用いてデータ伝送を行うように構成される第８伝送モジュールと、
判定結果が前記Ｋが０より大きいということを示した場合、ｅＣＣＡ内の一回のＣＣＡを継続して実行するように構成される第１５実行モジュールと、
をさらに含む。
【００６８】
選択肢として、前記装置は、
評価結果がアイドルである場合、前記Ｋに対して逓減演算を行い、逓減後のＫが０より大きいか否かを継続して判定するように構成される第４逓減モジュールと、
評価結果がビジーである場合、前記ＣＣＡを継続して実行し、又は、前記ＬＡＡ装置は前記ｅＣＣＡ内の次回のＣＣＡを継続して実行するように構成される第１６実行モジュールと、
をさらに含む。
【００６９】
選択肢として、前記第４逓減モジュールはさらに、ローカルの前記Ｋに対して第４指定数値の逓減を行うように構成され、ここで、前記第４指定数値は前記ＬＡＡ装置が伝送する必要のあるデータの優先順位に従って、動的に調整される。
【００７０】
選択肢として、ライセンス補助アクセス（ＬＡＡ）装置がクリアチャネル評価（ＣＣＡ）を実行する前に、前記装置は、前記Ｋを取得するように構成される第７取得モジュールをさらに含む。
【００７１】
選択肢として、前記ＬＡＡ装置が前記ｅＣＣＡ内の一回のＣＣＡを実行し、又は前記初期のＣＣＡを継続して実行する前に、前記装置は、Ｋ’を取得し、前記Ｋ’の値を前記Ｋに与えるように構成される第８取得モジュールをさらに含み、ここで、前記Ｋ’は前記ＬＡＡ装置の現時点のＫより小さい自然数である。
【００７２】
選択肢として、初期の前記ＣＣＡの時間の長さは３４ｕｓ又は４０ｕｓである。
【００７３】
選択肢として、前記予め設定されている数値は、初期の前記ＣＣＡ時間の長さを一回あたりの前記ｅＣＣＡ時間の長さで割って得られた数値を中心とする予め設定されている範囲から取った値である。
【００７４】
本発明のさらなる一面に基づいて、アンライセンス搬送波の競争方法を提供し、前記方法は、ライセンス補助アクセス（ＬＡＡ）装置が、クリアチャネル評価の検出をまず実行し、チャネルがアイドルであると検出された後、前記ＬＡＡ装置が継続して、
Ｎが０より大きい場合、ＬＡＡ装置はＮの値を逓減し、Ｎ＝Ｎ−１を実行するＳ１と、
前記ＬＡＡ装置は、ＣＣＡの検出を実行し、チャネルがアイドルであると検出された場合、Ｓ３を実行し、チャネルがアイドルであると検出されたものでない場合、Ｓ４を実行するＳ２と、
Ｎの値が０に等しい場合、前記ＬＡＡ装置はアンライセンス搬送波を用いてデータ伝送を行い、Ｎの値が０より大きい場合、Ｓ１を実行するＳ３と、
前記ＬＡＡ装置は、ＣＣＡの検出を実行してチャネルを検出するＳ４と、
チャネルがアイドルであると検出された場合、前記ＬＡＡ装置はＳ１を実行し、又は前記ＬＡＡ装置はＳ３を実行し、チャネルがアイドルであると検出されたものでない場合、前記ＬＡＡ装置はＳ４を実行するＳ５と、
の方式で実行することを含み、ここで、前記Ｎは非負の整数である。
【００７５】
選択肢として、前記Ｓ１の前に、前記方法は、前記ＬＡＡ装置は、ランダム的にランダムバックオフのＮの値を生成することをさらに含む。
【００７６】
選択肢として、前記ＣＣＡの検出は、初期ＣＣＡ検出、進化型クリアチャネル評価（ｅＣＣＡ）のうちの一つを含む。
【００７７】
選択肢として、前記Ｓ２において前記ＬＡＡ装置がＣＣＡの検出を実行することは、前記ｅＣＣＡ内の一回のＣＣＡ検出であり、前記Ｓ４において前記ＬＡＡ装置がＣＣＡの検出を継続して実行することは、前記ＬＡＡ装置がＣＣＡの検出をまず実行することと同様であり、いずれも初期ＣＣＡ検出である。
【００７８】
本発明のさらなる一面に基づいて、アンライセンス搬送波の競争装置を提供し、前記装置は、ライセンス補助アクセス（ＬＡＡ）装置側に適用し、第１検出モジュール、第１判定モジュール、伝送モジュール、第１処理モジュール、第２検出モジュール、および第１トリガーモジュールを含み、
第１検出モジュールは、クリアチャネル評価（ＣＣＡ）の検出をまず実行するように構成され、チャネルがアイドルであると検出された後、前記装置は、以下の各モジュールによって実行されるように構成され、
前記第１判定モジュールは、前記ＬＡＡ装置がＮの値を判定し、Ｎが０より大きい場合、ＬＡＡ装置はＮの値を逓減し、Ｎ＝Ｎ−１を実行するように構成され、ここで、前記Ｎは非負の整数であり、
前記第１処理モジュールは、ＣＣＡの検出を実行し、チャネルがアイドルであると検出された場合、伝送モジュールによって操作を実行し、チャネルがアイドルであると検出されたものでない場合、第２検出モジュールによって操作を実行するように構成され、
前記伝送モジュールは、前記ＬＡＡ装置がＮの値を判定し、Ｎの値が０に等しい場合、前記ＬＡＡ装置はアンライセンス搬送波を用いてデータ伝送を行い、Ｎの値が０より大きい場合、前記第１検出モジュールによって実行するように構成され、
前記第２検出モジュールは、前記ＬＡＡ装置は、ＣＣＡの検出を実行してチャネルを検出するように構成され、
前記第１トリガーモジュールは、チャネルがアイドルであると検出された場合、前記第１検出モジュールが実行するようにトリガーし、又は前記処理モジュールが実行するようにトリガーし、チャネルがアイドルであると検出されたものでない場合、前記第２検出モジュールが実行されるようにトリガーするように構成される。
【００７９】
選択肢として、クリアチャネル評価（ＣＣＡ）の検出を実行する前に、前記装置は、ランダム的にＮの値を生成するように構成される第１生成モジュールをさらに含む。
【００８０】
選択肢として、前記ＣＣＡの検出は、初期ＣＣＡ検出、進化型クリアチャネル評価（ｅＣＣＡ）のうちの一つを含む。
【００８１】
選択肢として、前記第１処理モジュールがＣＣＡの検出を継続して実行することは、前記ｅＣＣＡ内の一回のＣＣＡ検出であり、前記第２検出モジュールがＣＣＡの検出を継続して実行することは、初期ＣＣＡ検出であり、前記第１検出モジュールがＣＣＡの検出を実行することは、初期ＣＣＡ検出である。
本発明のさらなる一面に基づいて、アンライセンス搬送波の競争方法を提供し、前記アンライセンス搬送波の競争装置は、ライセンス補助アクセス（ＬＡＡ）装置が、クリアチャネル評価の検出をまず実行し、チャネルがアイドルであると検出された後、前記ＬＡＡ装置は継続して、
前記ＬＡＡ装置はＳ４を実行するＳ１と、
Ｎが０より大きい場合、ＬＡＡ装置はＮの値を逓減し、Ｎ＝Ｎ−１を実行するＳ２と、
前記ＬＡＡ装置は、ＣＣＡの検出を実行し、チャネルがアイドルであると検出された場合、Ｓ４を実行し、チャネルがアイドルであると検出されたものでない場合、Ｓ５を実行するＳ３と、
Ｎの値が０に等しい場合、前記ＬＡＡ装置はアンライセンス搬送波を用いてデータ伝送を行い、Ｎの値が０より大きい場合、Ｓ２を実行するＳ４と、
前記ＬＡＡ装置は、ＣＣＡの検出を実行してチャネルを検出するＳ５と、
チャネルがアイドルであると検出された場合、前記ＬＡＡ装置はＳ２を実行し、又は前記ＬＡＡ装置はＳ４を実行し、チャネルがアイドルであると検出されたものでない場合、前記ＬＡＡ装置はＳ５を実行するＳ６と、
の方式で実行することを含み、ここで、前記Ｎは非負の整数である。
【００８２】
選択肢として、前記Ｓ１の前に、前記方法は、前記ＬＡＡ装置は、ランダム的にランダムバックオフのＮの値を生成することをさらに含む。
【００８３】
選択肢として、前記ＣＣＡの検出は、初期ＣＣＡ検出、進化型クリアチャネル評価（ｅＣＣＡ）のうちの一つを含む。
【００８４】
選択肢として、前記Ｓ３において前記ＬＡＡ装置がＣＣＡの検出を実行することは、前記ｅＣＣＡ内の一回のＣＣＡ検出であり、前記Ｓ５において前記ＬＡＡ装置がＣＣＡの検出を継続して実行することは、前記ＬＡＡ装置がＣＣＡの検出をまず実行することと同様であり、いずれも初期ＣＣＡ検出である。
【００８５】
本発明のもう一面に基づいて、アンライセンス搬送波の競争装置を提供し、前記アンライセンス搬送波の競争装置は、ライセンス補助アクセス（ＬＡＡ）装置側に適用し、第３検出モジュール、第２トリガーモジュール、第２判定モジュール、第２処理モジュール、第４検出モジュール、および第３トリガーモジュールを含み、
第３検出モジュールは、クリアチャネル評価の検出をまず実行するように構成され、チャネルがアイドルであると検出された後、前記アンライセンス搬送波の競争装置は、以下の各モジュールによって継続して実行されるように構成され、
前記第２トリガーモジュールは、第２処理モジュールが操作を実行するようにトリガーするように構成され、
前記第２判定モジュールは、Ｎの値を判定し、Ｎが０より大きい場合、Ｎの値を逓減し、Ｎ＝Ｎ−１を実行するように構成され、ここで、前記Ｎは非負の整数であり、
前記第３検出モジュールは、ＣＣＡの検出を実行し、チャネルがアイドルであると検出された場合、前記第２処理モジュールが操作を実行するようにトリガーし、チャネルがアイドルであると検出されたものでない場合、第４検出モジュールが操作を実行するようにトリガーするように構成され、
前記第２処理モジュールは、Ｎの値が０に等しい場合、アンライセンス搬送波を用いてデータ伝送を行い、Ｎの値が０より大きい場合、第２判定モジュールが操作を実行するようにトリガーするように構成され、
前記第４検出モジュールは、ＣＣＡの検出を実行してチャネルを検出するように構成され、
前記第３トリガーモジュールは、チャネルがアイドルであると検出された場合、第２トリガーモジュールが操作を実行するようにトリガーし、又は前記第２処理モジュールが操作を実行するようにトリガーし、チャネルがアイドルであると検出されたものでない場合、前記第４検出モジュールが操作を実行するようにトリガーするように構成される。
【００８６】
選択肢として、前記第２トリガーモジュールが操作を実行する前に、前記アンライセンス搬送波の競争装置は、ランダム的にランダムバックオフのＮの値を生成するように構成される第２生成モジュールをさらに含む。
【００８７】
選択肢として、前記ＣＣＡの検出は、初期ＣＣＡ検出、進化型クリアチャネル評価（ｅＣＣＡ）のうちの一つを含む。
【００８８】
選択肢として、前記第３検出モジュールがＣＣＡの検出を実行することは、前記ｅＣＣＡ内の一回のＣＣＡ検出であり、前記第４検出モジュールがＣＣＡの検出を継続して実行することは、前記第３検出モジュールがＣＣＡの検出をまず実行することと同様であり、いずれも初期ＣＣＡ検出である。
【００８９】
本発明の実施例において、コンピュータ記憶媒体を提供し、該コンピュータ記憶媒体は実行命令を記憶することが可能であり、該実行命令は、上記の実施例におけるアンライセンス搬送波の競争方法を実行するように構成される。
【００９０】
本発明の実施例によって、ライセンス補助アクセス（ＬＡＡ）装置は、クリアチャネル評価（ＣＣＡ）又は進化型クリアチャネル評価（ｅＣＣＡ）を実行し、評価結果がアイドルである場合、ＬＡＡ装置は、Ｎに対して逓減演算を行い、逓減後の数値Ｎが０より大きいか否かを判定し、さらに判定結果が逓減後のＮが０に等しいということを示した場合、ＬＡＡ装置はアンライセンス搬送波を用いてデータ伝送を行うという方式を用いて、関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【図面の簡単な説明】
【００９１】
【図１】本発明の実施例に基づくアンライセンス搬送波の競争方法のフローチャート１である。
【図２】本発明の実施例に基づくアンライセンス搬送波の競争方法のフローチャート２である。
【図３】本発明の実施例に基づくアンライセンス搬送波の競争方法のフローチャート３である。
【図４】本発明の実施例に基づくアンライセンス搬送波の競争方法のフローチャート４である。
【図５】本発明の実施例に基づくアンライセンス搬送波の競争装置のブロック図１である。
【図６】本発明の実施例に基づくアンライセンス搬送波の競争装置のブロック図２である。
【図７】本発明の実施例に基づくアンライセンス搬送波の競争装置のブロック図３である。
【図８】本発明の実施例に基づくアンライセンス搬送波の競争装置のブロック図４である。
【図９】本発明の選択可能な実施例に基づくアンライセンス搬送波の競争方法の概略図１である。
【図１０】本発明の選択可能な実施例に基づくアンライセンス搬送波の競争方法の概略図２である。
【図１１】本発明の選択可能な実施例に基づくアンライセンス搬送波の競争方法の概略図３である。
【図１２】本発明の選択可能な実施例に基づくアンライセンス搬送波の競争方法の概略図４である。
【図１３】是本発明の選択可能な実施例に基づくアンライセンス搬送波の競争方法の概略図５である。
【発明を実施するための形態】
【００９２】
上記に説明している図面は、本発明へのさらなる理解を提供するためのものであり、本願の一部として構成され、本発明における例示的な実施例、及びその説明は、本発明を解釈するために用いられ、本発明を限定するものではない。
【００９３】
なお、衝突しない前提で、本願における実施例、及び実施例内の構成要件は互いに組み合わせすることが可能である。以下において、図面を参照して実施例を結合して、本発明を詳しく説明する。
【００９４】
本実施例は、アンライセンス搬送波の競争方法を提供し、図１は、本発明の実施例に基づくアンライセンス搬送波の競争方法のフローチャート１であり、図１に示すように、該方法のステップは、Ｓ１０２〜Ｓ１０６を含む。
【００９５】
ステップＳ１０２において、ライセンス補助アクセス（ＬＡＡ）装置は、クリアチャネル評価（ＣＣＡ）又は進化型クリアチャネル評価（ｅＣＣＡ）を実行する。
【００９６】
ステップＳ１０４において、評価結果がアイドル（ｉｄｌｅ）である場合、ＬＡＡ装置は、Ｎに対して逓減演算（ｄｅｃｒｅｍｅｎｔ  ｏｐｅｒａｔｉｏｎ）を行い、逓減後の数値Ｎが０より大きいか否かを判定する。ここで、Ｎは自然数である。
【００９７】
ステップＳ１０６において、判定結果が逓減後のＮが０に等しいということを示した場合、ＬＡＡ装置はアンライセンス搬送波を用いてデータ伝送を行う。
【００９８】
本実施例における上記ステップＳ１０２〜ステップＳ１０６によって、ライセンス補助アクセス（ＬＡＡ）装置は、クリアチャネル評価（ＣＣＡ）又は進化型クリアチャネル評価（ｅＣＣＡ）を実行し、評価結果がアイドルである場合、ＬＡＡ装置は、Ｎに対して逓減演算を行い、逓減後の数値Ｎが０より大きいか否かを判定し、それによって、判定結果が逓減後のＮが０に等しいということを示した場合、ＬＡＡ装置はアンライセンス搬送波を用いてデータ伝送を行うことを利用し、言い換えれば、本実施例は、ＬＡＡ装置がアンライセンス搬送波使用権を取得する時の、アンライセンス搬送波を競争して占用する実行プロセスを提供し、それによって、関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【００９９】
本実施例のステップＳ１０２におけるＬＡＡ装置のＣＣＡ又はｅＣＣＡを実行する結果に対して、本実施例内の一つの選択可能な実施例において、即ち、評価結果がビジー（ｂｕｓｙ）である場合、評価結果がアイドルになるまで、該ＬＡＡ装置はＣＣＡ又はｅＣＣＡを繰り返して実行する。
【０１００】
それに対して、本実施例のステップＳ１０４における判定結果に対して、本実施例内のもう一つの選択可能な実施形態において、即ち、判定結果が逓減後のＮが０より大きいということを示した場合、逓減演算後のＮが０より大きくなくなるまで、ＬＡＡ装置はＣＣＡ又はｅＣＣＡを繰り返して実行する。
【０１０１】
なお、本発明の実施例におけるＣＣＡ又はｅＣＣＡを繰り返して実行することにおいて、上記実施形態で、ＬＡＡ装置は逓減後の数値Ｎに対して逓減演算を行う必要があり、ここでの数値Ｎは、即ち本発明の実施例におけるローカルの数値Ｎであり、この時の数値Ｎが逓減演算後の数値Ｎであることだけであり、この説明は、本発明における実施例のその他の類似な形態にも適する。
【０１０２】
また、本実施例ステップＳ１０４におけるＬＡＡ装置のＮに対して逓減演算を行う方式に対して、選択肢として、本実施例の一つの応用場面において、以下のような方式で実現することが可能である。ＬＡＡ装置はＮに対して第１指定数値の逓減を行い、ここで、第１指定数値は、ＬＡＡ装置が伝送する必要のあるデータの優先順位に従って動的に調整される。言い換えれば、本実施例において、逓減演算における逓減数値は、ＬＡＡ装置が伝送する必要のあるデータの優先順位と関係があり、言い換えれば、優先順位が高いほど、逓減の数値を大きくしても良く、例えば、通常状況において、毎回の逓減数値が２であり、即ちＮ＝Ｎ−２である。それに対して、ＬＡＡ装置の計画して送信するデータの優先順位が非常に高い場合、逓減の数値は比較的に大きくしても良く、例えばＮ＝Ｎ−４である。このように該ＬＡＡ装置は、比較的に大きい確率でアンライセンス搬送波の使用権を得ることが可能であり、それによって動的な調整を実現する。
【０１０３】
なお、本実施例におけるステップＳ１０２の前に、即ち、ライセンス補助アクセス（ＬＡＡ）装置が、クリアチャネル評価（ＣＣＡ）又は進化型クリアチャネル評価（ｅＣＣＡ）を実行する前に、選択肢として、本実施例における方法は、ＬＡＡ装置は数値Ｎを取得することをさらに含むことが可能であり、ここで、該数値Ｎは、自らでランダム的に生成されたものであっても良く、又は、その他の装置により該装置に設定されたものであっても良く、Ｎの最大値は予め設定されるものであっても良い。
【０１０４】
本実施例におけるもう一つの選択可能な実施形態において、ＬＡＡ装置がＣＣＡ又はｅＣＣＡを改めて実行する前に、本実施例における方法は、ＬＡＡ装置は数値Ｎ’を取得し、該Ｎ’の値を該Ｎに与えることをさらに含むことが可能であり、ここで、Ｎ’はＬＡＡ装置の現時点のＮより小さい自然数である。
【０１０５】
なお、ここでのＮ’を取得する方式は、Ｎを取得する方式と同様であり、即ち、ＬＡＡ装置がランダム的にＮ又はＮ’を生成しても良く、又は、その他の装置が該ＬＡＡ装置にＮ又はＮ’を設定して良く、それ以外、本発明の実施例におけるその他の実施例に対しても該方式は適されることが可能である。
【０１０６】
新しい数値を改めて取得し、また該数値が現時点の装置の数値より小さいものでもあり、さらに改めて取得した数値に対してＣＣＡ又はｅＣＣＡを継続して実行することによって、長時間のＣＣＡ／ｅＣＣＡの実行によるリソースの無駄をある程度避けることができる。
【０１０７】
上記実施例の方法において、ＬＡＡ装置は、ｗｉｆｉ（Ｗｉｒｅｌｅｓｓ‐Ｆｉｄｅｌｉｔｙ）システムとの公平競争を考慮しておらず、ｗｉｆｉシステムとの公平競争を考慮しない場合、Ｎの値の下限値が０であり、ｗｉｆｉシステムとの公平競争を考慮する場合、Ｎの値の下限値は指定正整数である。該指定正整数は、３４ｕｓを一回あたりのＣＣＡ時間の長さ又は一回あたりのｅＣＣＡ時間の長さで割って得られた数値を中心とする予め設定されている範囲の数値であり、これに基づいて、本実施例における別の一つの選択可能な実施例において、本実施例の方法は、ステップＳ１１〜ステップＳ１３をさらに含むことが可能である。
【０１０８】
ステップＳ１１において、ＬＡＡ装置の取得した数値Ｎが最小値である場合、又はＬＡＡ装置の数値Ｎに対する逓減演算後の値が最小値になった後に、ＬＡＡ装置は最小値回数のＣＣＡ又はｅＣＣＡを連続して実行する。
【０１０９】
ステップＳ１２において、最小値回数のＣＣＡ又はｅＣＣＡの評価結果がすべてアイドルである場合、ＬＡＡ装置はアンライセンス搬送波を用いてデータ伝送を行う。
【０１１０】
ステップＳ１３において、最小値回数のＣＣＡ又はｅＣＣＡの評価結果にビジーが現れた場合、最小値回数のＣＣＡ又はｅＣＣＡの評価結果がすべてアイドルになるまで、ＬＡＡ装置は、最小値回数のＣＣＡ又はｅＣＣＡを継続して実行する。
【０１１１】
図２は、本発明の実施例に基づくアンライセンス搬送波の競争方法のフローチャート２であり、図２に示すように、該方法は、ステップＳ２０２〜ステップＳ２０６を含む。
【０１１２】
ステップＳ２０２において、ライセンス補助アクセス（ＬＡＡ）装置は、クリアチャネル評価（ＣＣＡ）又は進化型クリアチャネル評価（ｅＣＣＡ）を実行する。
【０１１３】
ステップＳ２０４において、評価結果がアイドルである場合、ＬＡＡ装置はＭが０より大きいか否かを判定する。ここで、Ｍが自然数である。
【０１１４】
ステップＳ２０６において、判定結果がＭが０に等しいということを示した場合、ＬＡＡ装置はアンライセンス搬送波を用いてデータ伝送を行う。
【０１１５】
本実施例におけるステップＳ２０２〜ステップＳ２０６によって、ライセンス補助アクセス（ＬＡＡ）装置は、クリアチャネル評価（ＣＣＡ）又は進化型クリアチャネル評価（ｅＣＣＡ）を実行し、評価結果がアイドルである場合、ＬＡＡ装置はＭが０より大きいか否かを判定し、ここで、Ｍが自然数であり、さらに判定結果がＭが０に等しいということを示した場合、ＬＡＡ装置は、アンライセンス搬送波を用いてデータ伝送を行う方式を利用する。言い換えれば、本実施例は、ＬＡＡ装置がアンライセンス搬送波使用権を取得する時の、アンライセンス搬送波を競争して占用する実行プロセスを提供し、それによって、関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【０１１６】
本実施例におけるステップ２０２におけるＬＡＡ装置がＣＣＡ又はｅＣＣＡを実行した結果に対して、本実施例内の一つの選択可能な実施例において、即ち、評価結果がビジーである場合、評価結果がアイドルになるまで、該ＬＡＡ装置はＣＣＡ又はｅＣＣＡを繰り返して実行する。
【０１１７】
本実施例におけるステップＳ２０４における判定結果に対して、本実施例内のもう一つの選択可能な実施形態において、即ち、判定結果がＭが０より大きいということを示した場合、逓減演算後のＭが０より大きくなくなるまで、ＬＡＡ装置はＭに対して逓減演算を行い、ＣＣＡ又はｅＣＣＡを繰り返して実行する。
【０１１８】
また、本実施例における上記ＬＡＡ装置のＭに対して逓減演算の方式については、選択肢として、本実施例における一つの応用場面において、下記のような方式で実現することが可能である。ＬＡＡ装置はＭに対して第２指定数値の逓減を行い、ここで、第２指定数値は、ＬＡＡ装置が伝送する必要のあるデータの優先順位に従って動的に調整される。言い換えれば、本実施例において逓減演算を行う逓減数値は、ＬＡＡ装置が伝送する必要のあるデータの優先順位と関係があり、言い換えれば、優先順位が高ければ高いほど、逓減の数値を大きくしても良く、例えば、通常状況において毎回の逓減数値が２であり、即ちＭ＝Ｍ−２である。それに対して、ＬＡＡ装置の計画して送信するデータの優先順位が非常に高い場合、逓減の数値は比較的に大きくしても良く、例えばＭ＝Ｍ−４である。このように該ＬＡＡ装置は、比較的に大きい確率でアンライセンス搬送波の使用権を得ることが可能であり、それによって動的な調整を実現する。
【０１１９】
なお、本実施例におけるステップＳ２０２の前に、即ち、ライセンス補助アクセス（ＬＡＡ）装置が、クリアチャネル評価（ＣＣＡ）又は進化型クリアチャネル評価（ｅＣＣＡ）を実行する前に、選択肢として、本実施例における方法は、ＬＡＡ装置は数値Ｍを取得することをさらに含むことが可能であり、ここで、該数値Ｍは、自らでランダム的に生成されたものであっても良く、又はその他の装置により該装置に設定されたものであっても良く、Ｍの最大値は予め設定されるものであっても良い。
【０１２０】
本実施例におけるもう一つの選択可能な実施形態において、ＬＡＡ装置がＣＣＡ又はｅＣＣＡを改めて実行する前に、本実施例における方法は、ＬＡＡ装置は数値Ｍ’を取得し、該Ｍ’の値をＭに与えることをさらに含むことが可能であり、ここで、Ｍ’はＬＡＡ装置の現時点のＭより小さい自然数である。新しい数値を改めて取得し、また該数値が現時点の装置の数値より小さいものでもあることによって、長時間のＣＣＡ／ｅＣＣＡの実行によるリソースの無駄をある程度避けることができる。
【０１２１】
上記本実施例における方法において、ＬＡＡ装置は、ｗｉｆｉ（Ｗｉｒｅｌｅｓｓ‐Ｆｉｄｅｌｉｔｙ）システムとの公平競争を考慮しておらず、ｗｉｆｉシステムとの公平競争を考慮しない場合、Ｍの値の下限値が０であり、ｗｉｆｉシステムとの公平競争を考慮する場合、Ｎの値の下限値は指定正整数である。該指定正整数は、３４ｕｓを一回あたりのＣＣＡ時間の長さ又は一回あたりのｅＣＣＡ時間の長さで割って得られた数値を中心とする予め設定されている範囲の数値であり、これに基づいて、本実施例における別の一つの選択可能な実施例において、本実施例における方法は、ステップＳ２１〜ステップＳ２３をさらに含むことが可能である。
【０１２２】
ステップＳ２１において、ＬＡＡ装置の取得した数値Ｎが最小値である場合、又はＬＡＡ装置の数値Ｎに対する逓減演算後の値が最小値になった後に、ＬＡＡ装置は最小値回数のＣＣＡ又はｅＣＣＡを連続して実行する。
【０１２３】
ステップＳ２２において、最小値回数のＣＣＡ又はｅＣＣＡの評価結果がすべてアイドルである場合、ＬＡＡ装置はアンライセンス搬送波を用いてデータ伝送を行う。
【０１２４】
ステップＳ２３において、最小値回数のＣＣＡ又はｅＣＣＡの評価結果にビジーが現れた場合、最小値回数のＣＣＡ又はｅＣＣＡの評価結果がすべてアイドルになるまで、ＬＡＡ装置は、最小値回数のＣＣＡ又はｅＣＣＡを継続して実行する。
【０１２５】
図３は、本発明の実施例に基づくアンライセンス搬送波の競争方法のフローチャート３であり、図３に示すように、本実施例における方法ステップは、ステップＳ３０２〜ステップＳ３０６を含む。
【０１２６】
ステップＳ３０２において、ライセンス補助アクセス（ＬＡＡ）装置は初期のクリアチャネル評価（ＣＣＡ）を実行する。
【０１２７】
ステップＳ３０４において、評価結果がビジーである場合、ＬＡＡ装置はＬが０より大きいか否かを判定する。ここで、Ｌは自然数である。
【０１２８】
ステップＳ３０６において、判定結果がＬが０に等しいということを示した場合、ＬＡＡ装置はアンライセンス搬送波を用いてデータ伝送を行う。
【０１２９】
本実施例におけるステップＳ３０２〜ステップＳ３０４によって、ライセンス補助アクセス（ＬＡＡ）装置は、初期のクリアチャネル評価（ＣＣＡ）を実行し、評価結果がビジーである場合、ＬＡＡ装置はＬが０より大きいか否かを判定し、ここで、Ｌは自然数であり、判定結果がＬが０に等しいということを示した場合、ＬＡＡ装置はアンライセンス搬送波を用いてデータ伝送を行うことを利用する。関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【０１３０】
選択肢として、本実施例における方法は、評価結果がアイドルである場合、ＬＡＡ装置はアンライセンス搬送波を用いてデータ伝送を行うことをさらに含むことが可能である。
【０１３１】
本実施例ステップＳ３０４において、ＬＡＡ装置の判定結果がＬが０より大きいということを示した場合、選択肢として、該ＬＡＡ装置は、進化型クリアチャネル評価（ｅＣＣＡ）内の一回のＣＣＡを実行する。
【０１３２】
該ＬＡＡ装置が進化型クリアチャネル評価（ｅＣＣＡ）内の一回のＣＣＡを実行した判定結果については、評価結果がアイドルである場合、ＬＡＡ装置はＬに対して逓減演算を行い、逓減後のＬが０より大きいか否かを継続して判定し、評価結果がビジーである場合、ＬＡＡ装置は初期のＣＣＡを継続して実行する。
【０１３３】
なお、本発明の実施例において初期のＣＣＡを継続して実行し、又はｅＣＣＡ内の一回のＣＣＡを実行することについては、上記実施形態において、ＬＡＡ装置は逓減後の数値Ｌに対して逓減演算を行う必要があり、ここでの数値Ｌは、即ち本発明の実施例におけるローカル数値Ｌであり、この時の数値Ｌが逓減演算後の数値Ｌであることだけであり、この説明は、本発明における実施例のその他の類似な形態にも適する。
【０１３４】
上記方式における該ＬＡＡ装置のＬに対する逓減演算は、本実施例の選択可能な実施形態は、ＬＡＡ装置がＬに対して第３指定数値の逓減を行うことであっても良く、ここで、第３指定数値は、ＬＡＡ装置が伝送する必要のあるデータの優先順位に従って動的に調整される。言い換えれば、本実施例における逓減演算する逓減数値は、ＬＡＡ装置が伝送する必要のあるデータの優先順位と関係があり、言い換えれば、優先順位が高ければ高いほど、逓減の数値を大きくしても良く、例えば、通常状況において毎回の逓減数値が２であり、即ちＬ＝Ｌ−２である。それに対して、ＬＡＡ装置の計画して送信するデータの優先順位が非常に高い場合、逓減の数値は比較的に大きくしても良く、例えばＬ＝Ｌ−４である。このように該ＬＡＡ装置は、比較的に大きい確率でアンライセンス搬送波の使用権を得ることが可能であり、それによって動的な調整を実現する。
【０１３５】
本実施例内のもう一つの選択可能な実施形態において、ライセンス補助アクセス（ＬＡＡ）装置がクリアチャネル評価（ＣＣＡ）を実行する前に、本実施例における方法は、ＬＡＡ装置は数値Ｌを取得することを含むことが可能であり、ここで、該数値Ｌ自らでランダム的に生成されたものであっても良く、又はその他の装置により該装置に設定されたものであっても良く、Ｌの最大値は予め設定されるものであっても良い。
【０１３６】
なお、本実施例において、ＬＡＡ装置がｅＣＣＡ内の一回のＣＣＡを実行し、又は初期のＣＣＡを継続して実行する前に、本実施例における方法は、ＬＡＡ装置は数値Ｌ’を取得し、該Ｌ’の値をＬに与えることを含むことが可能であり、ここで、Ｌ’は、ＬＡＡ装置の現時点のＬより小さい自然数である。
【０１３７】
新しい数値を改めて取得し、また該数値が現時点の装置の数値より小さいものでもあることによって、長時間のＣＣＡ／ｅＣＣＡの実行によるリソースの無駄をある程度避けることができる。
【０１３８】
なお、本実施例における初期のＣＣＡの時間の長さは３４ｕｓ又は４０ｕｓである。
【０１３９】
図４は、本発明の実施例に基づくアンライセンス搬送波の競争方法のフローチャート４であり、図４に示すように、該方法のステップは、ステップＳ４０２〜ステップＳ４０６を含む。
【０１４０】
ステップＳ４０２において、ライセンス補助アクセス（ＬＡＡ）装置は初期のクリアチャネル評価（ＣＣＡ）を実行する。
【０１４１】
ステップＳ４０４において、評価結果がアイドルである場合、ＬＡＡ装置は、Ｋから予め設定されている数値を引いた結果値に対して判定を行い、結果値が０より大きいか否かを判定し、ここで、Ｋは自然数である。
【０１４２】
ステップＳ４０６において、判定結果が結果値Ｋが０に等しいということを示す場合、ＬＡＡ装置はアンライセンス搬送波を用いてデータ伝送を行う。
【０１４３】
本実施例におけるステップＳ４０２〜ステップＳ４０４によって、ライセンス補助アクセス（ＬＡＡ）装置は、初期のクリアチャネル評価（ＣＣＡ）を実行し、評価結果がアイドルである場合、ＬＡＡ装置はＫが０より大きいか否かを判定し、ここで、Ｋは自然数であり、さらに判定結果がＫが０に等しいということを示す場合、ＬＡＡ装置はアンライセンス搬送波を用いてデータ伝送を行う方式を利用する。関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【０１４４】
本実施例において、ＬＡＡ装置の判定結果が逓減演算後のＫが０より大きいということを示す場合、選択肢として、本実施例における方法は、ＬＡＡ装置が、進化型クリアチャネル評価（ｅＣＣＡ）内の一回のＣＣＡを継続して実行することをさらに含むことが可能である。
【０１４５】
本実施例のステップＳ４０２においてＣＣＡを実行することについては、選択肢として、評価結果がビジーである場合、ＬＡＡ装置はＫが０より大きいか否かを判定し、判定結果として、判定結果がＫが０に等しいということを示す場合、ＬＡＡ装置はアンライセンス搬送波を用いてデータ伝送を行い。判定結果がＫが０より大きいということを示す場合、ＬＡＡ装置はｅＣＣＡ内の一回のＣＣＡを継続して実行する。
【０１４６】
ｅＣＣＡ内の一回のＣＣＡを継続して実行することにおいて、評価結果がアイドルである場合、ＬＡＡ装置は、Ｋに対して逓減演算を行い、逓減後のＫが０より大きいか否かを継続して判定し、評価結果がビジーである場合、ＬＡＡ装置は、ＣＣＡを継続して実行し、又は、ＬＡＡ装置はｅＣＣＡ内の次回のＣＣＡを継続して実行する。
【０１４７】
本実施例における該ＬＡＡ装置のＫに対する逓減演算の方式については、本実施例内のもう一つの選択可能な実施形態において、以下のような方式で実現することが可能である。ＬＡＡ装置は、Ｋに対して第４指定数値の逓減を行い、ここで、第４指定数値は、ＬＡＡ装置が伝送する必要のあるデータの優先順位に従い、動的に調整される。言い換えれば、本実施例において逓減演算する逓減数値は、ＬＡＡ装置が伝送する必要のあるデータの優先順位と関係があり、言い換えれば、優先順位が高ければ高いほど、逓減の数値が大きく、例えば、通常状況において毎回の逓減数値は２であり、即ちＫ＝Ｋ−２である。ＬＡＡ装置の計画して送信するデータの優先順位が非常に高い場合、逓減の数値は比較的に大きくしても良く、例えばＫ＝Ｋ−４である。このように該ＬＡＡ装置は、比較的に大きい確率でアンライセンス搬送波の使用権を得ることが可能であり、それによって動的な調整を実現する。
【０１４８】
本実施例のステップＳ４０２の前に、即ち、ライセンス補助アクセス（ＬＡＡ）装置がクリアチャネル評価（ＣＣＡ）を実行する前に、本実施例における方法は、ＬＡＡ装置は数値Ｋを取得することをさらに含むことが可能である。ここで、該数値Ｋ自らでランダム的に生成されたものであっても良く、又はその他の装置により該装置に設定されたものであっても良く、Ｋの最大値は予め設定されるものであっても良い。
【０１４９】
また、本実施例において、ＬＡＡ装置がｅＣＣＡ内の一回のＣＣＡを実行し、又は初期のＣＣＡを継続して実行する前に、本実施例における方法は、ＬＡＡ装置は数値Ｋ’を取得し、該Ｋ’の値をＫに与えることをさらに含むことが可能である。ここで、Ｋ’は、ＬＡＡ装置の現時点のＫより小さい自然数である。
【０１５０】
新しい数値を改めて取得し、また該数値が現時点の装置の数値より小さいものでもあることによって、長時間のＣＣＡ／ｅＣＣＡの実行によるリソースの無駄をある程度避けることができる。
【０１５１】
選択肢として、本実施例における初期のＣＣＡの時間の長さは３４ｕｓ又は４０ｕｓであり、本実施例における予め設定されている数値は、初期のＣＣＡ時間の長さを一回あたりのｅＣＣＡ時間の長さで割って得られた値を中心とする予め設定されている範囲内から取った値である。
【０１５２】
本実施例において、アンライセンス搬送波の競争装置をさらに提供し、該競争装置は、上記実施例及び選択可能な実施形態を実現するように構成され、すでに説明した部分を再度述べない。以下のように使用される用語「モジュール」は、予定機能があるソフトウェア及び/又はハードウェアの組み合わせを実現することが可能である。下記の実施例に記載される装置は、好ましく、ソフトウェアで実現されるが、ハードウェア、又はソフトウェアとハードウェアとの組み合わせでの実現も考案し得る。
【０１５３】
図５は、本発明の実施例に基づくアンライセンス搬送波の競争装置のブロック図１であり、該競争装置はライセンス補助アクセス（ＬＡＡ）装置側に位置し、図５に示すように、該競争装置は、
クリアチャネル評価（ＣＣＡ）又は進化型クリアチャネル評価（ｅＣＣＡ）を実行するように構成される第１実行モジュール５２と、
第１実行モジュール５２とカップリング接続し、評価結果がアイドルである場合、Ｎに対して逓減演算を行い、逓減後の数値Ｎが０より大きいか否かを判定するように構成される第１逓減モジュール５４と、
第１逓減モジュール５４とカップリング接続し、判定結果が逓減後のＮが０に等しいということを示した場合、アンライセンス搬送波を用いてデータ伝送を行うように構成される第１伝送モジュール５６と、
を含み、ここで、Ｎは自然数である。
【０１５４】
選択肢として、該競争装置は、第１実行モジュール５２とカップリング接続し、評価結果がビジーである場合、評価結果がアイドルになるまで、ＣＣＡ又はｅＣＣＡを繰り返して実行するように構成される第２実行モジュール、を含むことが可能である。
【０１５５】
選択肢として、該競争装置は、第１逓減モジュール５４とカップリング接続し、判定結果が逓減後のＮが０より大きいということを示した場合、逓減演算後のＮが０より大きくなくなるまで、ＣＣＡ又はｅＣＣＡを繰り返して実行するように構成される第３実行モジュールをさらに含むことが可能である。
【０１５６】
選択肢として、該第１逓減モジュール５２は、Ｎに対して第１指定数値の逓減を行うようにさらに構成される、ここで、第１指定数値は、ＬＡＡ装置が伝送する必要のあるデータの優先順位に従い、動的に調整される。
【０１５７】
選択肢として、ライセンス補助アクセス（ＬＡＡ）装置が、クリアチャネル評価（ＣＣＡ）又は進化型クリアチャネル評価（ｅＣＣＡ）を実行する前に、該競争装置は、第１実行モジュール５２とカップリング接続し、数値Ｎを取得するように構成される第１取得モジュールをさらに含むことが可能である。
【０１５８】
選択肢として、ＬＡＡ装置がＣＣＡ又はｅＣＣＡを改めて実行する前に、該競争装置は、第１伝送モジュール５６とカップリング接続し、数値Ｎ’を取得し、該Ｎ’の値をＮに与えるように構成される第２取得モジュールをさらに含み、ここで、Ｎ’はＬＡＡ装置の現時点のＮより小さい自然数である。
【０１５９】
上記本実施例の方法において、ＬＡＡ装置は、ｗｉｆｉ（Ｗｉｒｅｌｅｓｓ‐Ｆｉｄｅｌｉｔｙ）システムとの公平競争を考慮しておらず、ｗｉｆｉシステムとの公平競争を考慮しない場合、Ｎの値の下限値が０であり、ｗｉｆｉシステムとの公平競争を考慮する場合、Ｎの値の下限値は指定正整数であり、該指定正整数は、３４ｕｓを一回あたりのＣＣＡ時間の長さ又は一回あたりのｅＣＣＡ時間の長さで割って得られた数値を中心とする予め設定されている範囲の数値である。これに基づいて、本実施例における別の一つの選択可能な実施例において、選択肢として、本実施例における競争装置は、
ＬＡＡ装置の取得した数値Ｎが最小値である場合、又はＬＡＡ装置の数値Ｎに対する逓減演算後の値が最小値になった後に、最小値回数のＣＣＡ又はｅＣＣＡを連続して実行するように構成される第４実行モジュールと、
最小値回数のＣＣＡ又はｅＣＣＡの評価結果がすべてアイドルである場合、アンライセンス搬送波を用いてデータ伝送を行うように構成される第２伝送モジュールと、
最小値回数のＣＣＡ又はｅＣＣＡの評価結果にビジーが現れた場合、最小値回数のＣＣＡ又はｅＣＣＡの評価結果がすべてアイドルになるまで、最小値回数のＣＣＡ又はｅＣＣＡを継続して実行するように構成される第５実行モジュールと、
をさらに含むことが可能である。
【０１６０】
図６は、本発明の実施例に基づくアンライセンス搬送波の競争装置のブロック図２であり、該競争装置はライセンス補助アクセス（ＬＡＡ）装置側に位置し、図６に示すように、該競争装置は、
クリアチャネル評価（ＣＣＡ）又は進化型クリアチャネル評価（ｅＣＣＡ）を実行するように構成される第６実行モジュール６２と、
第６実行モジュール６２とカップリング接続し、評価結果がアイドルである場合、Ｍが０より大きいか否かを判定するように構成される第１判定モジュール６４と、
第１判定モジュール６４とカップリング接続し、判定結果がＭが０に等しいということを示した場合、アンライセンス搬送波を用いてデータ伝送を行うように構成される第３伝送モジュール６６と、
を含み、ここで、Ｍが自然数である。
【０１６１】
選択肢として、該競争装置は、第４実行モジュール６２とカップリング接続し、評価結果がビジーである場合、評価結果がアイドルになるまで、ＣＣＡ又はｅＣＣＡを繰り返して実行するように構成される第７実行モジュールをさらに含む。
【０１６２】
選択肢として、該競争装置は、第１判定モジュール６４とカップリング接続し、判定結果がＭが０より大きいということを示した場合、逓減演算後のＭが０より大きくなくなるまで、Ｍに対して逓減演算を行い、ＣＣＡ又はｅＣＣＡを繰り返して実行するように構成される第２逓減モジュールをさらに含む。
【０１６３】
選択肢として、該第２逓減モジュールは、Ｍに対して第２指定数値の逓減を行うように構成され、ここで、第２指定数値は、ＬＡＡ装置が伝送する必要のあるデータの優先順位に従い、動的に調整される。
【０１６４】
選択肢として、ライセンス補助アクセス（ＬＡＡ）装置が、クリアチャネル評価（ＣＣＡ）又は進化型クリアチャネル評価（ｅＣＣＡ）を実行する前に、該競争装置は、第４実行モジュール６２とカップリング接続し、数値Ｍを取得するように構成される第３取得モジュールをさらに含む。
【０１６５】
選択肢として、ＬＡＡ装置がＣＣＡ又はｅＣＣＡを改めて実行する前に、該競争装置は、第２伝送モジュール６６とカップリング接続し、数値Ｍ’を取得し、該Ｍ’の値をＭに与えるように構成される第４取得モジュール、をさらに含むことが可能であり、ここで、Ｍ’はＬＡＡ装置の現時点のＭより小さい自然数である。
【０１６６】
上記本実施例における方法において、ＬＡＡ装置は、ｗｉｆｉ（Ｗｉｒｅｌｅｓｓ‐Ｆｉｄｅｌｉｔｙ）システムとの公平競争を考慮しておらず、ｗｉｆｉシステムとの公平競争を考慮しない場合、Ｎの値の下限値が０であり、ｗｉｆｉシステムとの公平競争を考慮する場合、Ｎの値の下限値は指定正整数であり、該指定正整数は、３４ｕｓを一回あたりのＣＣＡ時間の長さ又は一回あたりのｅＣＣＡ時間の長さで割って得られた数値を中心とする予め設定されている範囲の数値である。これに基づいて、本実施例における別の一つの選択可能な実施例において、選択肢として、本実施例における競争装置は、
ＬＡＡ装置の取得した数値Ｎが最小値である場合、又はＬＡＡ装置の数値Ｎに対する逓減演算後の値が最小値になった後に、最小値回数のＣＣＡ又はｅＣＣＡを連続して実行するように構成される第８実行モジュールと、
最小値回数のＣＣＡ又はｅＣＣＡの評価結果がすべてアイドルである場合、アンライセンス搬送波を用いてデータ伝送を行うように構成される第４伝送モジュールと、
最小値回数のＣＣＡ又はｅＣＣＡの評価結果にビジーが現れた場合、最小値回数のＣＣＡ又はｅＣＣＡの評価結果がすべてアイドルになるまで、最小値回数のＣＣＡ又はｅＣＣＡを継続して実行するように構成される第９実行モジュールと、
をさらに含むことが可能である。
【０１６７】
図７は、本発明の実施例に基づくアンライセンス搬送波の競争装置のブロック図３であり、ライセンス補助アクセス（ＬＡＡ）装置側に位置し、図７に示すように、該競争装置は、
初期のクリアチャネル評価（ＣＣＡ）を実行するように構成される第１０実行モジュール７２と、
第１０実行モジュール７２とカップリング接続し、評価結果がビジーである場合、Ｌが０より大きいか否かを判定するように構成される第２判定モジュール７４と、
第２判定モジュール７４とカップリング接続し、判定結果がＬが０に等しいということを示した場合、ＬＡＡ装置はアンライセンス搬送波を用いてデータ伝送を行うように構成される第５伝送モジュール７６と、
を含み、ここで、Ｌは自然数である。
【０１６８】
選択肢として、該競争装置は、第１０実行モジュール７２とカップリング接続し、評価結果がアイドルである場合、アンライセンス搬送波を用いてデータ伝送を行うように構成される第６伝送モジュールをさらに含むことが可能である。
【０１６９】
選択肢として、該競争装置は、第２判定モジュール７４とカップリング接続し、判定結果がＬが０より大きいということを示す場合、進化型クリアチャネル評価（ｅＣＣＡ）内の一回のＣＣＡを実行するように構成される第１１実行モジュールをさらに含むことが可能である。
【０１７０】
選択肢として、該競争装置は、
第７実行モジュールとカップリング接続し、評価結果がアイドルである場合、Ｌに対して逓減演算を行い、逓減後のＬが０より大きいか否かを継続して判定するように構成される第３逓減モジュールと、
第１１実行モジュールとカップリング接続し、評価結果がビジーである場合、初期のＣＣＡを継続して実行するように構成される第１２実行モジュールと、
をさらに含むことが可能である。
【０１７１】
選択肢として、該第３逓減モジュールは、Ｌに対して第３指定数値の逓減を行うようにさらに構成され、ここで、第３指定数値は、ＬＡＡ装置が伝送する必要のあるデータの優先順位に従い、動的に調整される。
【０１７２】
選択肢として、ライセンス補助アクセス（ＬＡＡ）装置がクリアチャネル評価（ＣＣＡ）を実行する前に、該競争装置は、第１０実行モジュール７２とカップリング接続し、数値Ｌを取得するように構成される第５取得モジュール、をさらに含む。
【０１７３】
選択肢として、ＬＡＡ装置がｅＣＣＡ内の一回のＣＣＡを実行し、又は初期のＣＣＡを継続して実行する前に、該競争装置は、それぞれがカップリング接続し、数値Ｌ’を取得し、Ｌ’の値をＬに与えるように構成される第６取得モジュール、第３伝送モジュール７６と第４伝送モジュールをさらに含み、ここで、Ｌ’はＬＡＡ装置の現時点のＬより小さい自然数である。
【０１７４】
なお、本実施例における初期のＣＣＡの時間の長さは３４ｕｓ又は４０ｕｓである。
【０１７５】
図８は、本発明の実施例に基づくアンライセンス搬送波の競争装置のブロック図４であり、ライセンス補助アクセス（ＬＡＡ）装置側に位置し、図８に示すように、該競争装置は、
初期のクリアチャネル評価（ＣＣＡ）を実行するように構成される第１３実行モジュール８２と、
第１３実行モジュール８２とカップリング接続し、評価結果がアイドルである場合、ＬＡＡ装置は、Ｋから予め設定されている数値を引いた結果値に対して判定を行い、結果値が０より大きいか否かを判定し、ここで、Ｋは自然数であるように構成される第３判定モジュール８４と、
第３判定モジュール８４とカップリング接続し、判定結果が結果値が０に等しいということを示す場合、アンライセンス搬送波を用いてデータ伝送を行うように構成される第７伝送モジュール８６と、
を含む。
【０１７６】
選択肢として、該競争装置は、第３判定モジュール８４とカップリング接続し、判定結果が結果値が０より大きいということを示した場合、進化型クリアチャネル評価（ｅＣＣＡ）内の一回のＣＣＡを継続して実行するように構成される第１４実行モジュールをさらに含む。
【０１７７】
選択肢として、該競争装置は、第１０実行モジュールとカップリング接続し、評価結果がビジーである場合、Ｋが０より大きいか否かを判定するように構成される第４判定モジュールをさらに含む。
【０１７８】
第８伝送モジュールは、第４判定モジュールとカップリング接続し、判定結果がＫが０に等しいということを示した場合、アンライセンス搬送波を用いてデータ伝送を行うように構成される。
【０１７９】
第１５実行モジュールは、第４判定モジュールとカップリング接続し、判定結果がＫが０より大きいということを示した場合、ｅＣＣＡ内の一回のＣＣＡを継続して実行するように構成される。
【０１８０】
選択肢として、該競争装置は、
第１５実行モジュールとカップリング接続し、評価結果がアイドルである場合、Ｋに対して逓減演算を行い、逓減後のＫが０より大きいか否かを継続して判定するように構成される第４逓減モジュールと、
第１５実行モジュールとカップリング接続し、評価結果がビジーである場合、ＣＣＡを継続して実行し、又は、ＬＡＡ装置はｅＣＣＡ内の次回のＣＣＡを継続して実行するように構成される第１６実行モジュールと、
をさらに含む。
【０１８１】
選択肢として、第４逓減モジュールは、Ｋに対して第４指定数値の逓減を行うようにさらに構成され、ここで、第４指定数値は、ＬＡＡ装置が伝送する必要のあるデータの優先順位に従い、動的に調整される。
【０１８２】
選択肢として、ライセンス補助アクセス（ＬＡＡ）装置がクリアチャネル評価（ＣＣＡ）を実行する前に、該競争装置は、数値Ｋを取得するように構成される第７取得モジュールと、第９実行モジュール８２とをさらに含む。
【０１８３】
選択肢として、ＬＡＡ装置がｅＣＣＡ内の一回のＣＣＡを実行し、又は初期のＣＣＡを継続して実行した後に、該競争装置は、それぞれがカップリング接続し、数値Ｋ’を取得し、Ｋ’の値をＫに与えるように構成される第８取得モジュール、第７伝送モジュール８６と第８伝送モジュールをさらに含み、ここで、Ｋ’は、ＬＡＡ装置の現時点のＫより小さい自然数である。
【０１８４】
なお、本実施例における初期のＣＣＡの時間の長さは３４ｕｓ又は４０ｕｓであり、該予め設定されている数値は、初期のＣＣＡ時間の長さを一回あたりのｅＣＣＡ時間の長さで割って得られた値を中心とする予め設定されている範囲内から取った値である。
【０１８５】
以下において本発明の実施例の選択可能な実施例を結合して詳しく説明する。
【０１８６】
本選択可能な実施例は、ＬＡＡシステムに適した競争バックオフメカニズム及び対応するプロセスを提供し、該プロセスは、下記のような幾つかの方式を含むことが可能である。
【０１８７】
方式１
ライセンス補助アクセス（ＬＡＡ）装置は一つの数値Ｎを取得する。
【０１８８】
ＬＡＡ装置は、一回にクリアチャネル評価（ＣＣＡ：Ｃｌｅａｒ  Ｃｈａｎｎｅｌ  Ａｓｓｅｓｓｍｅｎｔ）/ｅＣＣＡを実行する。検出結果がビジーである場合、ＬＡＡ装置は、次回のＣＣＡ／ｅＣＣＡ（ステップＡを繰り返して実行する）を実行し、検出結果がアイドルである場合、ＬＡＡ装置はＮの値を逓減する。
【０１８９】
ＬＡＡ装置はＮが０より大きいか否かを判定する。判定結果が「ＮＯ」である場合（即ちＮ＝０の場合）、ＬＡＡ装置はアンライセンス搬送波を用いて伝送を行い、判定結果が「ＹＥＳ」である場合、ＬＡＡ装置はステップＡを繰り返して実行する。
【０１９０】
方式２
ＬＡＡ装置は一つの数値Ｎを取得する。
【０１９１】
ＬＡＡ装置は一回にＣＣＡ／ｅＣＣＡを実行する。検出結果がビジーである場合、ＬＡＡ装置は次回のＣＣＡ／ｅＣＣＡを実行し、検出結果がアイドルである場合、ＬＡＡ装置はＮが０より大きいか否かを判定する。判定結果が「ＮＯ」である場合、ＬＡＡ装置はアンライセンス搬送波を用いて伝送を行い、判定結果が「ＹＥＳ」である場合、ＬＡＡ装置はＮの値を逓減し、同時に、ＬＡＡ装置が一回にＣＣＡ／ｅＣＣＡを実行するように戻る。
【０１９２】
方式３
ＬＡＡ装置がＣＣＡ／ｅＣＣＡを実行する時又はその前に、一つの数値Ｎを取得する。
【０１９３】
ＬＡＡ装置は、初期のＣＣＡを実行し、ＣＣＡ検出結果がアイドルである場合、ＬＡＡ装置はアンライセンス搬送波を用いてデータ伝送を行い、ＣＣＡ検出結果がビジーである場合、Ｎが０より大きいか否かを判定し、判定結果が０に等しい場合、ＬＡＡ装置はアンライセンス搬送波を用いてデータを伝送し、判定結果が０より大きい場合、ＬＡＡ装置はｅＣＣＡプロセスに入り、一回にＣＣＡを実行し、検出結果がアイドルである場合、ＬＡＡ装置はＮの値を逓減し、同時に上記のＮが０より大きいか否かを判定する入口に戻り、検出結果がビジーである場合、ＬＡＡ装置は初期のＣＣＡを実行する入口に戻る。
【０１９４】
方式４
ＬＡＡ装置がＣＣＡ／ｅＣＣＡを実行する時又はその前に、一つの数値Ｎを取得する。
【０１９５】
ＬＡＡ装置は、初期のＣＣＡを実行し、ＣＣＡ検出結果がアイドルである場合、ＬＡＡ装置はＮ−１が０より大きいか否かを判定し、「ＮＯ」と判定した場合、ＬＡＡ装置はアンライセンス搬送波を用いてデータ伝送を行い、そうでない場合、ＬＡＡ装置はｅＣＣＡプロセスに入り、一回にＣＣＡを実行し、ＣＣＡ検出結果がビジーである場合、Ｎが０より大きいか否かを判定し、判定結果が０に等しい場合、ＬＡＡ装置はアンライセンス搬送波を用いてデータを伝送し、判定結果が０より大きい場合、ＬＡＡ装置はｅＣＣＡプロセスに入り、一回にＣＣＡを実行し、検出結果がアイドルである場合、ＬＡＡ装置はＮの値を逓減し、上記のＮが０より大きいか否かを判定する入口に同時に戻り、検出結果がビジーである場合、ＬＡＡ装置は、初期のＣＣＡを実行する入口に戻る。
【０１９６】
以下において、図面を結合して本選択可能な実施例に対して例を挙げて説明する。
【０１９７】
実施例１
本選択可能な実施例の方式１に対応し、図９は本発明の選択可能な実施例に基づくアンライセンス搬送波の競争方法の概略図１であり、図９に示すように、ＬＡＡ装置は、以下の手順に従って、ＣＣＡ及び/又はｅＣＣＡプロセスを実行し、アンライセンス搬送波の使用権を取得し、ここで、該ＬＡＡ装置は、アンライセンス搬送波を使用するあらゆる装置であっても良く、例えば、基地局、ｓｍａｌｌ  ｃｅｌｌ基地局、ｈｏｍｅＮＢ、ＵＥなどである。
【０１９８】
ＬＡＡ装置は一つの数値Ｎを取得し、該数値Ｎは、ＬＡＡ装置によりランダム的に生成されるものであっても良く、又はその他の装置により該ＬＡＡ装置に設定されるものであっても良く、Ｎは自然数であり、Ｎの最大値は予め設定されているものである。具体的に、Ｎの生成方法については、後述において具体的な方法を説明する。
【０１９９】
ステップＡにおいて、ＬＡＡ装置は一回にＣＣＡ／ｅＣＣＡを実行する（ＣＣＡ又はｅＣＣＡ）。検出結果がビジーである場合、ＬＡＡ装置は次回のＣＣＡ／ｅＣＣＡを実行し（該ステップＡを繰り返して実行する）、検出結果がアイドルである場合、ＬＡＡ装置はＮの値を逓減する（例えばＮ＝Ｎ−１を実行する）。
【０２００】
ステップＢにおいて、ＬＡＡ装置はＮが０より大きいか否かを判定し、判定結果が「ＮＯ」である場合（即ちＮ＝０である場合）、ＬＡＡ装置はアンライセンス搬送波を用いて伝送を行い（即ち、ＬＡＡ装置がＣＣＡ／ｅＣＣＡを実行して、アンライセンス搬送波の使用権が成功に競争して獲得したことを示す）、判定結果が「ＹＥＳ」である場合、ＬＡＡ装置はステップＡを繰り返して実行する。
【０２０１】
以下において、本選択可能な実施例の一つの応用場面を通して、詳しく説明する。本選択可能な実施例は、ｗｉｆｉシステムとの公平競争を考慮した場合において（ｗｉｆｉとの公平競争を考慮しない場合、Ｎの値の下限値が０である）、
ＬＡＡ装置は一つの数値Ｎを取得し、具体的に、Ｎの定義は自然数である。ＬＡＡ装置は、毎回データ伝送アンライセンス搬送波の使用権を競争して占用する時に、ランダム的にＮの値を生成し、アンライセンス搬送波使用権を一回に成功に獲得してデータの伝送を行った後に、次回アンライセンス搬送波を競争して占用して使用する時に、Ｎの値を改めて生成する。ｗｉｆｉのシステムにおいて、ＡＰ／ＳＴＡはアンライセンス搬送波を取得する時に、一回にＣＣＡをまず実行する必要があり、しかも時間の長さはＤＩＦＳ時間の長さ（約３４ｕｓ）と等しい。ｗｉｆｉシステムとの公平競争のために、Ｎの下限値は、分散型フレーム間の時間間隔（ＤＩＦＳ：Ｄｉｓｔｕｒｂｕｔｅｄ  Ｉｎｔｅｒ−Ｆｒａｍｅ  Ｓｐａｃｉｎｇ）の時間の長さを一回あたりのＣＣＡ／ｅＣＣＡ時間の長さで割って得られた値の前後の幾つかの正整数（即ち、該数値の前後の約三つの正整数、３が経験値であり、この値に限らない）と近い値と設定される。例えば、仮に一回あたりのＣＣＡ／ｅＣＣＡの時間の長さが１８ｕｓである場合、３４を１８で割って約１．８９になり、そして１．８９の前後の正整数は、１、２、３、４を含み（−１、０は正整数ではないため、選択しない）、通常、１．８９と最も近い一つの数値、例えば２を選択し、又は１．８９と２番目近い一つの数値、例えば１を選択する。さらに、例えば、仮に一回あたりのＣＣＡ／ｅＣＣＡの時間の長さが９ｕｓである場合、３４を９で割って約３．７８になり、そして３．７８の前後の正整数は、１、２、３、４、５、６を含む。通常、３．７８と最も近い一つの数値、例えば４を選択し、又は３．７８と２番目近い一つの数値、例えば３を選択する。特定システムにおいて、Ｎの値の下限値が指定値であることは一般的である（例えば、ある指定値の指定について、上記方式より取得可能である）。Ｎの値の上限は、通常、予め定義されている数値であり、異なる場面を適するため、該数値を動的に変えても良く、例えば、ＬＡＡシステムにおいてＬＡＡ装置のデータが多いことを考慮し、Ｎの値を大きく定義しても良く、このように、より大きい範囲内で衝突（即ち、ＬＡＡ装置は同様なＮの値を生成する）を避けることができる。ＬＴＥのフレーム構成、及びＯＦＤＭシンボルの定義に基づいて、以下において好ましいＮの値の上限値を説明する。ＬＴＥサブフレーム内の前から三つ、又は前から四つのＯＦＤＭ（ＣＰを含む）時間の長さを、定義されているＣＣＡ時間の長さ（例えば、９ｕｓ、４ｕｓ、１８ｕｓ、又は２０ｕｓ）で割って得られた数値を、切り下げて整数を取得し、Ｎの値の上限値をする。又は、ＬＴＥサブフレーム内の後ろから三つ、又は後ろから四つの直交周波数分割多重ＯＦＤＭ（ＣＰ時間の長さを含む）の時間の長さを、定義されているＣＣＡ時間の長さ（例えば９ｕｓ、４ｕｓ、１８ｕｓ、又は２０ｕｓ）を割って得られた数値を、切り下げて整数を取得し、Ｎの値の上限値とする。ｅＣＣＡは、複数回のＣＣＡより構成されるものである。例えば、一つのｅＣＣＡプロセスは、Ｎ回のＣＣＡを含む。
【０２０２】
ステップＡにおいて、ＬＡＡ装置は、一回にＣＣＡ／ｅＣＣＡを実行する。検出結果がビジーである場合、ＬＡＡ装置は次回のＣＣＡ／ｅＣＣＡを実行し（ステップＡを繰り返して実行する）、検出結果がアイドルである場合、ＬＡＡ装置はＮの値を逓減する（例えば、Ｎ＝Ｎ−１を実行する）。ステップＡの具体的な、好ましい技術案は下記通りである。検出結果がビジーである場合、ＬＡＡ装置は次回のＣＣＡ／ｅＣＣＡを実行する。具体的に、ＬＡＡ装置は、前回のＣＣＡ／ｅＣＣＡの完了時刻を連続して、すぐに次回のＣＣＡ／ｅＣＣＡ検出を継続し、又はＬＡＡ装置は、次のＣＣＡ／ｅＣＣＡを実行する時間帯（又はサイクル）になってくるのを待ってから、次のＣＣＡ／ｅＣＣＡを実行する必要があり、まだ時間帯又はサイクルになって来ていないうちに、ＬＡＡ装置はＣＣＡ／ｅＣＣＡを実行しない。Ｎの値が上記の下限値である場合、ＬＡＡ装置は、待たずに次回のＣＣＡ／ｅＣＣＡ検出を連続して実行する方式を用いて、例えば、Ｎの値の下限値が４であり、そしてＮ＝４になった場合、Ｎから０までの逓減において、ＬＡＡ装置は、次回のＣＣＡ／ｅＣＣＡ検出を実行する時に、待たずに次回のＣＣＡ／ｅＣＣＡ検出を連続して実行する方式を使用する必要がある。Ｎがその他の数値である場合、Ｎから４までに逓減した場合、ＬＡＡ装置は、待たずに次回のＣＣＡ／ｅＣＣＡ検出を連続して実行し、又はＬＡＡ装置が次回のＣＣＡ／ｅＣＣＡを実行するのは、実行可能な時間帯になって来てから実行する方式を使用することができる。
【０２０３】
ここで、検出結果がアイドルである場合、ＬＡＡ装置はＮの値を逓減し（例えばＮ＝Ｎ−１を実行する）、具体的な逓減の数値を１より大きくしても良く、例えば、毎回に２を逓減し、即ちＮ＝Ｎ−２である。又は逓減の数値を動的に調整し、例えば、ＬＡＡ装置が計画して送信するデータの優先順位が非常に高い場合、逓減の数値は比較的に大きくしても良く、例えばＮ＝Ｎ−４である。このように該ＬＡＡ装置は、比較的に大きい確率でアンライセンス搬送波の使用権を得ることが可能である。又は、ＬＡＡ装置が複数回のアンライセンス搬送波の競争に連続的に失敗した場合（具体的な回数が事前に取り決める必要がある）、該サイトは逓減の数値を調整しても良い。
【０２０４】
ステップＢにおいて、ＬＡＡ装置Ｎが０より大きいか否かを判定する。判定結果が「ＮＯ」である場合（即ちＮ＝０である場合）、ＬＡＡ装置はアンライセンス搬送波を用いて伝送を行い（即ち、ＬＡＡ装置がＣＣＡ／ｅＣＣＡを実行してアンライセンス搬送波の使用権を成功に競争して獲得したことを示す）、判定結果が「ＹＥＳ」である場合、ＬＡＡ装置はステップＡを繰り返して実行する。ステップＢの具体的な好ましい技術案は下記の通りである。判定結果が「ＹＥＳ」である場合、ＬＡＡ装置はステップＡを繰り返して実行する。具体的に、ＬＡＡ装置はステップＡを繰り返して実行する前に、一つの新しいＮの値を改めて生成することを許可することをさらに含み、該Ｎの値の生成範囲は０〜ＬＡＡ装置の現時点のＮの値である。又は、ＬＡＡ装置は複数回（具体的な回数は事前に取り決める必要がある）のステップＡを繰り返して実行してから、一つの新しいＮの値を改めて生成することを許可し、該Ｎの値の生成範囲は０〜ＬＡＡ装置の現時点のＮの値である。このように、長時間のＣＣＡ／ｅＣＣＡの実行によるリソースの無駄をある程度避けることができる。
【０２０５】
実施例２
本選択可能な実施例の方式２に対応し、図１０は、本発明の選択可能な実施例に基づくアンライセンス搬送波の競争方法の概略図２であり、図１０に示すように、実施例１と実施例２とは類似しており、Ｎが０より大きいか否かを判定する判定ステップとＮの逓減ステップとの順序を取り換えただけであり、そのため、実施例１の具体的な実施例の詳細は、衝突しない前提で踏襲しても良い。施例２も実施可能なｅＣＣＡフローであり、実施例１と比較して、同様なＮの値の場合、ＬＡＡ装置は、一回ほど多めにＣＣＡ検出を実行する必要がある。
【０２０６】
ＬＡＡ装置（アンライセンス搬送波を使用するあらゆる装置、例えば、基地局、ｓｍａｌｌ  ｃｅｌｌ基地局、ｈｏｍｅＮＢ、ＵＥを含む）は、アンライセンス搬送波の使用権を取得するために、下記の手順に従ってＣＣＡ及び/又はｅＣＣＡを実行する。
【０２０７】
ＬＡＡ装置は一つの数値Ｎを取得する（自らでランダム的に生成されたものであっても良く、又はその他の装置により該装置に設定されたものであっても良く）、Ｎは自然数であり、Ｎの最大値は予め設定されているものである。具体的なＮの生成方法は、後述に具体的な方法を説明する。
【０２０８】
ステップ１において、ＬＡＡ装置は一回にＣＣＡ／ｅＣＣＡを実行する。検出結果がビジーである場合、ＬＡＡ装置は次回のＣＣＡ／ｅＣＣＡを実行し（ステップ１を繰り返して実行する）、検出結果がアイドルである場合、ＬＡＡ装置はＮが０より大きいか否かを判定する。判定結果が「ＮＯ」である場合（即ちＮ＝０である場合）、ＬＡＡ装置はアンライセンス搬送波を用いて伝送を行い（即ち、ＬＡＡ装置がＣＣＡ／ｅＣＣＡを実行してアンライセンス搬送波の使用権を成功に競争して獲得したことを示す）、判定結果が「ＹＥＳ」である場合、ＬＡＡ装置はステップ２を実行する。
【０２０９】
ステップ２において、ＬＡＡ装置はＮの値を逓減し（例えばＮ＝Ｎ−１を実行する）、同時にステップ１に戻って実行する。
【０２１０】
以下は、本選択可能な実施例の好ましい実施例方式（以下の実施形態を含むが、下記の実施形態に限らない）であり、該実施例は、ｗｉｆｉシステムとの公平競争を考慮した場合において（ｗｉｆｉとの公平競争を考慮しない場合、Ｎの値の下限値が０である）、
ＬＡＡ装置は一つの数値Ｎを取得し、具体的に、Ｎの定義は自然数である。ＬＡＡ装置は、毎回データ伝送アンライセンス搬送波の使用権を競争して占用する時に、ランダム的にＮの値を生成し、アンライセンス搬送波使用権を一回に成功に獲得してデータの伝送を行った後に、次回アンライセンス搬送波を競争して占用して使用する時に、Ｎの値を改めて生成する。ｗｉｆｉのシステムにおいて、ＡＰ／ＳＴＡはアンライセンス搬送波を取得する時に、一回にＣＣＡをまず実行する必要があり、しかも時間の長さはＤＩＦＳ時間の長さ（約３４ｕｓ）と等しい。ｗｉｆｉシステムとの公平競争のために、Ｎの下限値は、ＤＩＦＳの時間の長さを一回あたりのＣＣＡ／ｅＣＣＡ時間の長さで割って得られた値の前後の幾つかの正整数（即ち、該数値の前後の約三つの正整数、３が経験値であり、この値に限らない）と近い値と設定される。
【０２１１】
実施例２は実施例１と比較すると、Ｎの値の下限値の取り方は、基本的に同様であるが、実施例２内のＮの下限値の取り方は、上記の実施例１の方法を採用しても良く、値を確定してから、さらに１を減らして得られた数値を実施例２のＮの値の下限値とする。上限値の取り方も実施例１の方法を採用しても良く、値を確定してから、さらに１を減らして得られた数値を実施例２のＮの値の上限値とする。
【０２１２】
以下において選択可能的にステップ１の好ましい技術案を提案する。検出結果がビジーである場合、ＬＡＡ装置は次回のＣＣＡ／ｅＣＣＡを実行する。具体的に、ＬＡＡ装置は、前回のＣＣＡ／ｅＣＣＡの完了時刻を連続して、すぐに次回のＣＣＡ／ｅＣＣＡ検出を継続し、又はＬＡＡ装置は、次のＣＣＡ／ｅＣＣＡを実行する時間帯（又はサイクル）になってくるのを待ってから、次のＣＣＡ／ｅＣＣＡを実行する必要があり、まだ時間帯又はサイクルになって来ていないうちに、ＬＡＡ装置はＣＣＡ／ｅＣＣＡを実行しない。Ｎの値が上記の下限値である場合、ＬＡＡ装置は、待たずに次回のＣＣＡ／ｅＣＣＡ検出を連続して実行する方式を用いて、例えば、Ｎの値の下限値が３であり、そしてＮ＝３になった場合、Ｎから０までの逓減において、ＬＡＡ装置は、次回のＣＣＡ／ｅＣＣＡ検出を実行する時に、待たずに次回のＣＣＡ／ｅＣＣＡ検出を連続して実行する方式を使用する必要がある。Ｎがその他の数値である場合、Ｎから４までに逓減した場合、ＬＡＡ装置は、待たずに次回のＣＣＡ／ｅＣＣＡ検出を連続して実行し、又はＬＡＡ装置が次回のＣＣＡ／ｅＣＣＡを実行するのは、実行可能な時間帯になって来てから実行する方式を使用することができる。
【０２１３】
ここで、ＬＡＡ装置はＮが０より大きいか否かを判定する。判定結果が「ＮＯ」である場合（即ちＮ＝０である場合）、ＬＡＡ装置はアンライセンス搬送波を用いて伝送を行い（即ち、ＬＡＡ装置がＣＣＡ／ｅＣＣＡを実行して、アンライセンス搬送波の使用権が成功に競争して獲得したことを示す）、判定結果が「ＹＥＳ」である場合、ＬＡＡ装置はステップ２を繰り返して実行する。ステップ１の具体的な好ましい技術案は、判定結果が「ＹＥＳ」である場合、ＬＡＡ装置はステップ２を繰り返して実行することである。具体的に、ＬＡＡ装置がステップ２を繰り返して実行する前に、一つの新しいＮの値を改めて生成することを許可することをさらに含み、該Ｎの値の生成範囲は０〜ＬＡＡ装置の現時点のＮの値である。又は、ＬＡＡ装置は複数回（具体的な回数は事前に取り決める必要がある）のステップＡを繰り返して実行してから、一つの新しいＮの値を改めて生成することを許可し、該Ｎの値の生成範囲は０〜ＬＡＡ装置の現時点のＮの値である。このように、長時間のＣＣＡ／ｅＣＣＡの実行によるリソースの無駄をある程度避けることができる。
【０２１４】
下記において、選択可能的にステップ２の好ましい技術案を提案する。ＬＡＡ装置はＮの値を逓減し（例えばＮ＝Ｎ−１を実行する）、同時にステップ１に戻って実行する。具体的な逓減の数値は、１以上であり、例えば、毎回２を逓減し、即ちＮ＝Ｎ−２である。又は逓減の数値を動的に調整し、例えば、ＬＡＡ装置が計画して送信するデータの優先順位が非常に高い場合、逓減の数値は比較的に大きくしても良く、例えばＮ＝Ｎ−４である。このように該ＬＡＡ装置は、比較的に大きい確率でアンライセンス搬送波の使用権を得ることが可能である。又は、ＬＡＡ装置が複数回のアンライセンス搬送波の競争に連続的に失敗した場合（具体的な回数が事前に取り決める必要がある）、該サイトは逓減の数値を調整しても良い。
【０２１５】
この図１０に基づいて、本選択可能な実施例は、アンライセンス搬送波の競争方法を提供し、ライセンス補助アクセス（ＬＡＡ）装置は、クリアチャネル評価の検出をまず実行し、チャネルがアイドルであると検出された後、ＬＡＡ装置はＳ１〜Ｓ５の方式で継続して実行することを含む。
【０２１６】
Ｓ１において、Ｎが０より大きい場合、ＬＡＡ装置はＮの値を逓減し、Ｎ＝Ｎ−１を実行し、ここで、Ｎは非負の整数である。
【０２１７】
Ｓ２において、ＬＡＡ装置は、ＣＣＡの検出を実行し、チャネルがアイドルであると検出された場合、Ｓ３を実行し、そうでない場合、Ｓ４を実行する。
【０２１８】
Ｓ３において、Ｎの値が０に等しい場合、ＬＡＡ装置はアンライセンス搬送波を用いてデータ伝送を行い、そうでない場合、Ｓ１を実行する。
【０２１９】
Ｓ４において、ＬＡＡ装置は、ＣＣＡの検出を実行してチャネルを検出する。
【０２２０】
Ｓ５において、チャネルがアイドルであると検出された場合、ＬＡＡ装置はＳ１を実行する又はＬＡＡ装置はＳ３を実行し、そうでない場合、ＬＡＡ装置はＳ４を実行する。
【０２２１】
なお、Ｓ１の前に、本選択可能な実施例の方法は、ＬＡＡ装置は、ランダム的にランダムバックオフのＮの値を生成することをさらに含む。
【０２２２】
なお、本選択可能な実施例におけるＣＣＡの検出は、初期ＣＣＡ検出、進化型クリアチャネル評価（ｅＣＣＡ）のうちの一つを含む。これに基づいて、該Ｓ２においてＬＡＡ装置がＣＣＡの検出を実行することは、ｅＣＣＡ内の一回のＣＣＡ検出であり、Ｓ４においてＬＡＡ装置がＣＣＡの検出を継続して実行することは、ＬＡＡ装置がＣＣＡの検出をまず実行することと同様であり、全ては初期ＣＣＡ検出である。
【０２２３】
上記アンライセンス搬送波の競争方法に基づいて、本選択可能な実施例は、アンライセンス搬送波の競争装置をさらに提供し、ライセンス補助アクセス（ＬＡＡ）装置側に適用し、第１検出モジュール、第１判定モジュール、第１処理モジュール、伝送モジュール、第２検出モジュール、および第１トリガーモジュールを含む。第１検出モジュールは、クリアチャネル評価（ＣＣＡ）の検出をまず実行するように構成される。チャネルがアイドルであると検出された後、前記競争装置は、第１処理モジュール、伝送モジュール、第２検出モジュール、および第１トリガーモジュールによって継続して実行されるように構成される。第１判定モジュールは、Ｎが０より大きい場合、ＬＡＡ装置はＮの値を逓減し、Ｎ＝Ｎ−１を実行するように構成され、ここで、前記Ｎは非負の整数である。第１処理モジュールは、ＣＣＡの検出を実行し、チャネルがアイドルであると検出された場合、伝送モジュールによって操作を実行し、そうでない場合、第２検出モジュールによって操作を実行するように構成される。伝送モジュールは、Ｎの値が０に等しい場合、前記ＬＡＡ装置はアンライセンス搬送波を用いてデータ伝送を行い、そうでない場合、前記第１検出モジュールによって実行するように構成される。前記第２検出モジュールは、前記ＬＡＡ装置は、ＣＣＡの検出を実行してチャネルを検出するように構成される。第１トリガーモジュールは、チャネルがアイドルであると検出された場合、前記第１検出モジュールが実行するようにトリガーし、又は前記処理モジュールが実行するようにトリガーし、そうでない場合、前記第２検出モジュールが実行されるようにトリガーするように構成される。
【０２２４】
選択肢として、クリアチャネル評価（ＣＣＡ）の検出を実行する前に、該競争装置は、ランダム的にＮの値を生成するように構成される第１生成モジュールをさらに含む。
【０２２５】
また、該図１０に基づいて、本選択可能な実施例は、アンライセンス搬送波の競争方法をさらに提供し、該方法は、ライセンス補助アクセス（ＬＡＡ）装置、クリアチャネル評価の検出をまず実行し、チャネルがアイドルであると検出された後、ＬＡＡ装置はＳ１〜Ｓ６の方式に従って継続して実行する。
【０２２６】
Ｓ１において、ＬＡＡ装置はＳ４を実行する。
【０２２７】
Ｓ２において、Ｎが０より大きい場合、ＬＡＡ装置はＮの値を逓減し、Ｎ＝Ｎ−１を実行し、ここで、Ｎは非負の整数である。
【０２２８】
Ｓ３において、ＬＡＡ装置は、ＣＣＡの検出を実行し、チャネルがアイドルであると検出された場合、Ｓ４を実行し、そうでない場合、Ｓ５を実行する。
【０２２９】
Ｓ４において、Ｎの値が０に等しい場合、ＬＡＡ装置はアンライセンス搬送波を用いてデータ伝送を行い、そうでない場合、Ｓ２を実行する。
【０２３０】
Ｓ５において、ＬＡＡ装置は、ＣＣＡの検出を実行してチャネルを検出する。
【０２３１】
Ｓ６において、チャネルがアイドルであると検出された場合、ＬＡＡ装置はＳ２を実行し、又はＬＡＡ装置はＳ４を実行し、そうでない場合、ＬＡＡ装置はＳ５を実行する。
【０２３２】
なお、Ｓ１の前に、方法は、ＬＡＡ装置は、ランダム的にランダムバックオフのＮの値を生成することをさらに含む。
【０２３３】
また、Ｓ１〜Ｓ６におけるＣＣＡの検出は、初期ＣＣＡ検出、進化型クリアチャネル評価（ｅＣＣＡ）のうちの一つを含むことが可能である。これに基づいて、Ｓ３においてＬＡＡ装置がＣＣＡの検出を実行することは、ｅＣＣＡ内の一回のＣＣＡ検出であり、Ｓ５においてＬＡＡ装置がＣＣＡの検出を継続して実行することは、ＬＡＡ装置がＣＣＡの検出をまず実行することと同様であり、全ては初期ＣＣＡ検出である。
【０２３４】
上記Ｓ１〜Ｓ６の方法に基づいて、本選択可能な実施例は、アンライセンス搬送波の競争装置を提供し、ライセンス補助アクセス（ＬＡＡ）装置側に適用し、第３検出モジュール、第２トリガーモジュール、第２判定モジュール、第２処理モジュール、第４検出モジュール、および第３トリガーモジュールを含む。第３検出モジュールは、クリアチャネル評価の検出をまず実行するように構成され、チャネルがアイドルであると検出された後、該競争装置は、第２トリガーモジュール、第２判定モジュール、第３検出モジュール、第２処理モジュール、第４検出モジュール、および第３トリガーモジュールによって継続して実行するように構成される。第２トリガーモジュールは、第２処理モジュールが操作を実行するようにトリガーするように構成される。第２判定モジュールは、Ｎの値を判定し、Ｎが０より大きい場合、Ｎの値を逓減し、Ｎ＝Ｎ−１を実行するように構成され、ここで、Ｎは非負の整数である。第３検出モジュールは、ＣＣＡの検出を実行し、チャネルがアイドルであると検出された場合、第２処理モジュールが操作を実行するようにトリガーし、そうでない場合、第４検出モジュールが操作を実行するようにトリガーするように構成される。第２処理モジュールは、Ｎの値が０に等しい場合、アンライセンス搬送波を用いてデータ伝送を行い、そうでない場合、第２判定モジュールが操作を実行するようにトリガーするように構成される。第４検出モジュールは、ＣＣＡの検出を実行してチャネルを検出するように構成される。第３トリガーモジュールは、チャネルがアイドルであると検出された場合、第２トリガーモジュールが操作を実行するようにトリガーし、又は第２処理モジュールが操作を実行するようにトリガーし、そうでない場合、第４検出モジュールが操作を実行するようにトリガーするように構成される。
【０２３５】
選択肢として、第２トリガーモジュールが操作を実行する前に、該競争装置は、ランダム的にランダムバックオフのＮの値を生成するように構成される第２生成モジュールをさらに含む。
【０２３６】
なお、本選択可能な実施例におけるＮの非負の整数は、０以上の整数である。
【０２３７】
実施例３
本選択可能な実施例の方式３に対応し、図１１は、本発明の選択可能な実施例に基づくアンライセンス搬送波の競争方法の概略図３であり、図１１示すように、該方法の手順は、以下のとおりである。
【０２３８】
ＬＡＡ装置がＣＣＡ／ｅＣＣＡを実行する時又はその前に、Ｎの値を取得することを含み、Ｎの値に関する定義、取得については、実施例１と同様であり、実施例２におけるＮの値の定義を採用しても良い。
【０２３９】
ＬＡＡ装置は、初期のＣＣＡを実行し、ＣＣＡ検出結果がアイドルである場合、ＬＡＡ装置はアンライセンス搬送波を用いてデータ伝送を行い、ＣＣＡ検出結果がビジーである場合、Ｎが０より大きいか否かを判定し、判定結果が０に等しい場合、ＬＡＡ装置はアンライセンス搬送波を用いてデータを伝送し、判定結果が０より大きい場合、ＬＡＡ装置は一回にＣＣＡを実行し（ｅＣＣＡプロセスに入り、ｅＣＣＡは、幾つか回数のＣＣＡを含む）、検出結果がアイドルである場合、ＬＡＡ装置はＮの値を逓減し（例えばＮ＝Ｎ−１）、同時に上記のＮが０より大きいか否かを判定する入口に戻り、検出結果がビジーである場合、ＬＡＡ装置は初期のＣＣＡを実行する入口を戻る。初期のＣＣＡは、ｅＣＣＡプロセス内の一回あたりのＣＣＡとの持続時間の長さは等しくなくても良い。
【０２４０】
選択肢として、Ｎの逓減は、実施例１又は実施例２の方法を採用することが可能である。
【０２４１】
選択肢として、Ｎの値の下限値は０と定義され、上限値の定義は実施例１又は実施例２の記載を採用する。
【０２４２】
ここで、ＬＡＡ装置は、初期のＣＣＡを実行する入口は、具体的に、ＬＡＡ装置は直ちに次の初期のＣＣＡを実行し、又は次の初期のＣＣＡの実施時間帯になってきてから初期のＣＣＡを実行する。ＬＡＡ装置は、ｅＣＣＡプロセスに入ってから、ＬＡＡ装置がちょうどＣＣＡ／ｅＣＣＡの実施の時間帯にある場合、次回のＣＣＡを連続して実行する方式を採用する。ＬＡＡ装置が非ＣＣＡ／ｅＣＣＡ時間帯に入った場合、ＣＣＡを実行しないように採用しても良い。
【０２４３】
ここで、Ｎの値の逓減は、実施例１又は実施例２の方法を採用しても良い。
【０２４４】
実施例４
本選択可能な実施例の方式４に対応し、図１２は、本発明の選択可能な実施例に基づくアンライセンス搬送波の競争方法の概略図４であり、図１２に示すように、該方法の手順は、以下のとおりである。
【０２４５】
ＬＡＡ装置がＣＣＡ／ｅＣＣＡを実行する時又はその前に、Ｎの値を取得することを含み、Ｎの値に関する定義、取得については、実施例１と同様であり、実施例２におけるＮの値の定義を採用しても良い。
【０２４６】
ＬＡＡ装置は、初期のＣＣＡを実行し、ＣＣＡ検出結果がアイドルである場合、ＬＡＡ装置は、Ｎ−１が０より大きいか否かを判定し、「ＮＯ」と判定した場合、ＬＡＡ装置はアンライセンス搬送波を用いてデータ伝送を行い、そうでない場合、ＬＡＡ装置は、ＣＣＡを実行し（ｅＣＣＡプロセスに入り）、ＣＣＡ検出結果がビジーである場合、Ｎが０より大きいか否かを判定し、判定結果が０に等しい場合、ＬＡＡ装置はアンライセンス搬送波を用いてデータを伝送し、判定結果が０より大きい場合、ＬＡＡ装置は一回にＣＣＡを実行し（ｅＣＣＡプロセスに入り、ｅＣＣＡは幾つか回数のＣＣＡを含む）、検出結果がアイドルである場合、ＬＡＡ装置はＮの値を逓減し（例えばＮ＝Ｎ−１）、同時に上記のＮが０より大きいか否かを判定する入口に戻り、検出結果がビジーである場合、ＬＡＡ装置は、初期のＣＣＡを実行する入口に戻る。
【０２４７】
選択肢として、Ｎの逓減は、実施例１又は実施例２の方法を採用しても良い。
【０２４８】
選択肢として、Ｎの値の下限値は０と定義され、上限値の定義は実施例１又は実施例２の記載を採用する。
【０２４９】
ここで、ＬＡＡ装置は、初期のＣＣＡを実行する入口は、具体的に、ＬＡＡ装置は直ちに次の初期のＣＣＡを実行し、又は次の初期のＣＣＡの実施時間帯になってきてから初期のＣＣＡを実行する。ＬＡＡ装置は、ｅＣＣＡプロセスに入ってから、ＬＡＡ装置がちょうどＣＣＡ／ｅＣＣＡの実施の時間帯にある場合、次回のＣＣＡを連続して実行する方式を採用する。ＬＡＡ装置が非ＣＣＡ／ｅＣＣＡ時間帯に入った場合、ＣＣＡを実行しないように採用しても良い。
【０２５０】
ここで、Ｎの値の逓減は、実施例１又は実施例２の方法を採用しても良い。
【０２５１】
実施例５
なお本実施例５は実施例４と類似しており、図１３は、本発明の選択可能な実施例に基づくアンライセンス搬送波の競争方法の概略図５であり、図１３に示すように、該手順は、以下のとおりである。
【０２５２】
ＬＡＡ装置がＣＣＡ／ｅＣＣＡを実行する時又はその前に、Ｎの値を取得することを含み、Ｎの値に関する定義、取得については、実施例１と同様であり、実施例２におけるＮの値の定義を採用しても良い。
【０２５３】
ＬＡＡ装置は、初期のＣＣＡを実行し、ＣＣＡ検出結果がアイドルである場合、ＬＡＡ装置は、Ｎ−１が０より大きいか否かを判定し、「ＮＯ」と判定した場合、ＬＡＡ装置はアンライセンス搬送波を用いてデータ伝送を行い、そうでない場合、ＬＡＡ装置は、ＣＣＡを実行し（ｅＣＣＡプロセスに入り）、ＣＣＡ検出結果がビジーである場合、Ｎが０より大きいか否かを判定し、判定結果が０に等しい場合、ＬＡＡ装置はアンライセンス搬送波を用いてデータを伝送し、判定結果が０より大きい場合、ＬＡＡ装置は一回にＣＣＡを実行し（ｅＣＣＡプロセスに入り、ｅＣＣＡは幾つか回数のＣＣＡを含む）、検出結果がアイドルである場合、ＬＡＡ装置はＮの値を逓減し（例えばＮ＝Ｎ−１）、同時に上記のＮが０より大きいか否かを判定する入口に戻り、検出結果がビジーである場合、ＬＡＡ装置はｅＣＣＡ内の次回のＣＣＡを継続して実行する。
【０２５４】
選択肢として、Ｎの逓減は実施例１又は実施例２の方法を採用しても良い。
【０２５５】
選択肢として、Ｎの値の下限値は０と定義され、上限値の定義は実施例１又は実施例２の記載を採用する。
【０２５６】
ここで、Ｎの値の逓減は、実施例１又は実施例２の方法を採用しても良い。
【０２５７】
上記から分かるように、本選択可能な実施例は、ＬＡＡ装置がアンライセンス搬送波の使用権を取得する時のアンライセンス搬送波を競争して占用する実行プロセスを提供し、該プロセルに基づいて、ＬＡＡ装置の間、特にＬＡＡ装置とｗｉｆｉ装置との間の公平競争を良くサポートすることが可能である。
【０２５８】
もう一つの実施例において、記憶媒体をさらに提供し、該記憶媒体に上記ソフトウェアが記憶されている。該記憶媒体は、コンパクトディスク、フロッピーディスク、ハードディスク、電気的消去可能な記憶媒体などを含むが、それらに限らない。
【０２５９】
明らかに、当業者が分かるように、上記の本発明の各モジュール又は各ステップは、汎用計算装置を用いて実現することが可能であり、これらを単一の計算装置に統合しても、複数の計算装置で構成するネットワーク上に配置されても良い。選択肢として、それらは、コンピュータ装置での実行可能なプログラムを用いて実現しても良く、それによって、それらを記憶装置に記憶して、コンピュータ装置によって実行することが可能である。ある状況において、ここと異なる順序で、示されていて、記載されているステップを実行しても良く、又は、それらを個々の集積回路モジュールにそれぞれ作成し、又はそれらの複数のモジュールとステップを単独の回路モジュールに作成して実現しても良い。このように、本発明はいずれかの特定のハードウェアとソフトウェアの結合に限らない
上記は、本発明の選択可能な実施例に過ぎず、本発明を限定するためのものではなく、当業者にとって、本発明は、様々な改善と変更があり得る。本発明の趣旨と原則内であれば、すべての変更、等価の入れ替え、及び改善などは、すべて本発明の範囲内である。
【産業上の利用可能性】
【０２６０】
本発明の実施例によって、ライセンス補助アクセス（ＬＡＡ）装置は、クリアチャネル評価（ＣＣＡ）又は進化型クリアチャネル評価（ｅＣＣＡ）を実行し、評価結果がアイドルである場合、ＬＡＡ装置は、Ｎに対して逓減演算を行い、逓減後の数値Ｎが０より大きいか否かを判定し、それによって、判定結果が逓減後のＮが０に等しいということを示した場合、ＬＡＡ装置は、アンライセンス搬送波を用いてデータ伝送を行う方式を使用し、関連技術における、ＬＡＡシステムに適した競争バックオフメカニズムとプロセスが提供されていないという課題を解決し、同一システムにおける隣接伝送ノードが同時にアンライセンス搬送波を使用することに起因する干渉を避けることができる。
【図１】
0006587259.tif 000002
【図２】
0006587259.tif 000003
【図３】
0006587259.tif 000004
【図４】
0006587259.tif 000005
【図５】
0006587259.tif 000006
【図６】
0006587259.tif 000007
【図７】
0006587259.tif 000008
【図８】
0006587259.tif 000009
【図９】
0006587259.tif 000010
【図１０】
0006587259.tif 000011
【図１１】
0006587259.tif 000012
【図１２】
0006587259.tif 000013
【図１３】
0006587259.tif 000014